(57)【要約】移動体デバイスが一斉放送局ウェブサイトに接続し１つのブックマークの選択に応答して一斉放送局の一斉放送を受信することを可能にするためのシステム及び方法が提供されている。該ブックマークの選択は、移動体デバイスが実質的に一斉放送局のためのウェブサイトに実質的に同時に接続する一方で、移動体デバイス上のチューナーが一斉放送を受信するべく同調されるという結果をもたらす。ブックマークはユーザーによりプログラミングされ得、パラメータに従って異なる一斉放送局を表わす可能性がある。ブックマークは、地理的位置情報に基づいてユーザーにディスプレイされ得る。ブックマークは、１つの地理的位置で利用可能な一斉放送についてスキャンすることにより新規作成され得る。ＲＤＳ情報が一斉放送情報を補足することができ、ＣＢＳメッセージを介して移動体デバイスにこれを送ることが可能である。
2006508619.tif 000002
【特許請求の範囲】
【請求項１】
１つのデバイス上で、一斉放送メディア局からの一斉放送メディア及び該一斉放送メディア局に結びつけられた対応する対話型一斉放送内容を受信する方法において、
一斉放送メディア局のためのブックマーク情報を含むメッセージを受信する段階、
デバイス上にブックマーク情報と結びつけられたブックマークをディスプレイする段階、
ブックマークのユーザー選択を受信したことに応答して、実質的に同時に、
一斉放送メディア局から一斉放送メディアを受信するための該ブックマークと結びつけられた周波数にデバイス上のチューナーを同調させる段階、及び
一斉放送メディア局と対話するためブックマークと結びつけられた対話型データ通信チャンネルを開く段階、
を実施する段階、
を含んで成る方法。
【請求項２】
メッセージが、セル一斉放送サービス（ＣＢＳ）メッセージの内部に封入されたＲＤＳメッセージを含む、請求項１に記載の方法。
【請求項３】
１つのデバイス上で、一斉放送メディア局からの一斉放送メディア及び該一斉放送メディア局に結びつけられた対話型一斉放送内容を受信する方法において、
該デバイスについての地理的位置を決定する段階、
決定された地理的位置と整合する地理的位置パラメータを有するブックマークを該一斉放送メディア局のために見付ける段階、
デバイス上にブックマークをディスプレイする段階、
ブックマークのユーザー選択を受信したことに応答して、実質的に同時に、
一斉放送メディア局から一斉放送メディアを受信するため該ブックマークと結びつけられた周波数にデバイス上のチューナーを同調させる段階、及び
一斉放送メディア局と対話するためブックマークと結びつけられた対話型データ通信チャンネルを開く段階、
を実施する段階、
を含んで成る方法。
【請求項４】
地理的位置を決定する段階には、デバイス上のユーザーインターフェースから地理的位置情報を受信する段階が含まれている、請求項３に記載の方法。
【請求項５】
地理的位置を決定する段階のために、地理的位置が、該デバイスと通信状態にある無線セルラーネットワークから受信される、請求項３に記載の方法。
【請求項６】
地理的位置を決定する段階のために、地理的位置が、一斉放送メディアのＦＭ伝送内で伝送されたデータから決定される、請求項３に記載の方法。
【請求項７】
地理的位置を決定する段階のために、伝送されたデータが無線データシステム（ＲＤＳ）メッセージを含んでいる、請求項６に記載の方法。
【請求項８】
地理的位置を決定する段階のために、地理的位置が通信ネットワークを介して該デバイスに伝送されたメッセージから決定される、請求項３に記載の方法。
【請求項９】
メッセージがセルラーネットワーク制御メッセージを含んで成る、請求項８に記載の方法。
【請求項１０】
地理的位置を決定する段階のために、地理的位置が該デバイスにより受信された全地球測位システム（ＧＰＳ）信号から決定される、請求項３に記載の方法。
【請求項１１】
ブックマークの一部分として一斉放送メディア局と結びつけられたグラフィックをディスプレイする段階をさらに含んで成る、請求項３に記載の方法。
【請求項１２】
１つのデバイス上で、一斉放送メディア及び一斉放送メディア局と結びつけられた対話型一斉放送内容を受信する方法において、
利用可能な一斉放送メディア伝送のための周波数範囲をスキャンする段階、
利用可能な一斉放送メディア伝送を検出する段階、
予め定められた事象に応答して、利用可能な一斉放送メディア伝送の周波数にデバイス上のチューナーを同調させる段階、
チューナーが選択された一斉放送メディア伝送を受信するべく同調されつつあることを標示するグラフィックをデバイスのディスプレイ上にディスプレイする段階、及び
一斉放送メディア伝送と結びつけられたサーバーから対話型内容についてのデータを受信する段階、
を含んで成る方法。
【請求項１３】
チューナーを同調させる段階のために、予め定められた事象には、利用可能な一斉放送メディア伝送のユーザー選択を受信することが含まれている、請求項１２に記載の方法。
【請求項１４】
チューナーを同調させる段階のために、予め定められた事象には、ユーザー選択のためのタイムアウト時限の満了が含まれる、請求項１２に記載の方法。
【請求項１５】
グラフィックをディスプレイする段階のために、該グラフィックが、利用可能な一斉放送メディア伝送と結びつけられた一斉放送メディア局のためのロゴを含んで成る、請求項１２に記載の方法。
【請求項１６】
グラフィックをディスプレイする段階には、一斉放送メディア局と結びつけられたサーバーから受信された対話型内容をディスプレイすることが含まれている、請求項１２に記載の方法。
【請求項１７】
デバイス上のメモリー内に利用可能な一斉放送メディア伝送のためのブックマークをセーブする段階をさらに含んで成り、該ブックマークが、利用可能な一斉放送メディア伝送のための一斉放送周波数及び結びつけられた地理的位置を含む、請求項１２に記載の方法。
【請求項１８】
データネットワークと通信し一斉放送メディアを受信するためのデバイスにおいて、
ディスプレイ、
通信インタフェース、
チューナー、
ユーザーインターフェース、
記憶媒体、及び
一斉放送メディア局のためのブックマーク情報を含むメッセージを受信する段階、
デバイス上にブックマーク情報と結びつけられたブックマークをディスプレイする段階、
ブックマークのユーザー選択を受信したことに応答して、実質的に同時に、
一斉放送メディア局から一斉放送メディアを受信するための該ブックマークと結びつけられた周波数にデバイス上のチューナーを同調させる段階、及び
一斉放送メディア局と対話するためブックマークと結びつけられた対話型データ通信チャンネルを開く段階、
を含んで成る段階を実施する記憶媒体に結合されたプロセッサを、
含んで成るデバイス。
【請求項１９】
メッセージを受信する段階のために、該メッセージが、セル一斉放送サービス（ＣＢＳ）メッセージの内部に封入されたＲＤＳメッセージを含んで成る、請求項１８に記載のデバイス。
【請求項２０】
データネットワークと通信し一斉放送メディアを受信するためのデバイスにおいて、
ディスプレイ、
通信インタフェース、
チューナー、
ユーザーインターフェース、
記憶媒体、及び
地理的位置を決定する段階、
決定された地理的位置と整合する地理的位置パラメータを有するブックマークを該一斉放送メディア局のために見付ける段階、
ディスプレイ上にブックマークをディスプレイする段階、
該ブックマークを選択するユーザーインターフェースからの選択を受信する段階、
一斉放送メディア局から一斉放送メディアを受信するための該ブックマークと結びつけられた周波数にチューナーを同調させる段階、及び
一斉放送メディア局と対話するためブックマークと結びつけられた対話型データ通信チャンネルを開く段階、
を含んで成る段階を実施する記憶媒体に結合されたプロセッサ、
を含んで成るデバイス。
【請求項２１】
地理的位置を決定する段階には、ユーザーインターフェースから地理的位置情報を受信する段階が含まれている、請求項２０に記載のデバイス。
【請求項２２】
地理的位置を決定する段階のために、地理的位置情報が該デバイスと通信状態にある無線セルラーネットワークから受信される、請求項２０に記載のデバイス。
【請求項２３】
地理的位置を決定する段階のために、地理的位置情報が、一斉放送メディアのＦＭ伝送内で伝送されたデータから決定される、請求項２０に記載のデバイス。
【請求項２４】
地理的位置を決定する段階のために、伝送されたデータがＲＤＳメッセージを含んでいる、請求項２３に記載のデバイス。
【請求項２５】
地理的位置を決定する段階のために、地理的位置情報が通信ネットワークを介して該デバイスに伝送されたメッセージから決定される、請求項２３に記載のデバイス。
【請求項２６】
メッセージがセルラーネットワーク制御メッセージを含んで成る、請求項２５に記載のデバイス。
【請求項２７】
地理的位置を決定する段階のために、地理的位置が該デバイスにより受信されたＧＰＳ信号から決定される、請求項２０に記載のデバイス。
【請求項２８】
プロセッサがブックマークの一部分として一斉放送メディア局と結びつけられたグラフィックをディスプレイする段階をさらに実施する、請求項２０に記載のデバイス。
【請求項２９】
データネットワークと通信し一斉放送メディアを受信するためのデバイスにおいて、
ディスプレイ、
チューナー、
ユーザーインターフェース、
記憶媒体、及び
利用可能な一斉放送メディア伝送のための周波数範囲をスキャンする段階、
利用可能な一斉放送メディア伝送を検出する段階、
予め定められた事象に応答して、利用可能な一斉放送メディア伝送の周波数にチューナーを同調させる段階、
一斉放送メディア局を表すグラフィックをディスプレイ上にディスプレイする段階、及び
一斉放送メディア伝送と結びつけられたデジタル内容を受信する段階、
を含んで成る段階を実施する記憶媒体に結合されたプロセッサ、
を含んで成るデバイス。
【請求項３０】
プロセッサが、一斉放送メディア局のためのブックマークを記憶媒体内にセーブするさらなる段階を実施し、該ブックマークが、選択された一斉放送メディア伝送のための一斉放送周波数及び該伝送を受信するための結びつけられた地理的位置を含む、請求項２９に記載のデバイス。
【請求項３１】
チューナーを同調させる段階のために、予め定められた事象には、ユーザー選択のためのタイムアウト時限の満了が含まれる、請求項２９に記載のデバイス。
【請求項３２】
チューナーを同調させる段階のために、予め定められた事象には、利用可能な一斉放送メディア伝送のユーザー選択を受信することが含まれている、請求項２９に記載のデバイス。
【請求項３３】
移動体デバイス上で、
該デバイスについての地理的位置を決定する段階、
決定された地理的位置と整合する地理的位置パラメータを有するブックマークを該一斉放送メディア局のために見付ける段階、
デバイス上にブックマークをディスプレイする段階、
ブックマークのユーザー選択を受信したことに応答して、実質的に同時に、
一斉放送メディア局から一斉放送メディアを受信するため該ブックマークと結びつけられた周波数にデバイス上のチューナーを同調させる段階、及び
一斉放送メディア局と対話するためブックマークと結びつけられた対話型データ通信チャンネルを開く段階、
を含んで成る段階を実施するためのコンピュータ実行可能な命令を有するコンピュータ読取り可能媒体。
【請求項３４】
移動体デバイス上で、
利用可能な一斉放送メディア伝送のための周波数範囲をスキャンする段階、
利用可能な一斉放送メディア伝送を検出する段階、
利用可能な一斉放送メディア伝送の周波数にデバイス上のチューナーを同調させる段階、
チューナーが選択された一斉放送メディア伝送を受信するべく同調されつつあることを標示するグラフィックをデバイスのディスプレイ上にディスプレイする段階、及び
一斉放送メディア伝送と結びつけられたサーバーから対話型内容についてのデータを受信する段階、
を含んで成る段階を実施するためのコンピュータ実行可能命令を有するコンピュータ読取り可能媒体。
【請求項３５】
デバイスのメモリー内に一斉放送メディア局のためのブックマークをセーブするさらなる段階を実施するためのコンピュータ実行可能命令を有し、該ブックマークが一斉放送周波数及び地理的位置を含んで成る、請求項３１に記載のコンピュータ読取り可能媒体。
【請求項３６】
移動体デバイス上で、
一斉放送メディア局のためのブックマーク情報を含むメッセージを受信する段階、
デバイス上にブックマーク情報と結びつけられたブックマークをディスプレイする段階、
ブックマークのユーザー選択を受信したことに応答して、実質的に同時に、
一斉放送メディア局から一斉放送メディアを受信するための該ブックマークと結びつけられた周波数にデバイス上のチューナーを同調させる段階、及び
一斉放送メディア局と対話するためブックマークと結びつけられた対話型データ通信チャンネルを開く段階、
を含んで成る段階を実施するためのコンピュータ実行可能命令を有するコンピュータ読取り可能媒体。
【発明の詳細な説明】
【技術分野】
【０００１】
本発明は、一般に移動体デバイスに関する。より特定的に言うと、本発明は、一斉放送同調及びデジタル通信能力を有するデバイスに関する。
【背景技術】
【０００２】
プリセット無線ボタンは従来の無線で一般的であり、好みの無線局と結びつけられた周波数に対するプログラミング可能なショートカットとして使用するために周知のものである。ＦＭ無線伝送を受信する能力をもつ移動体デバイスも又既知である。従来の無線と同じように、これらのデバイスは標準的に好みの無線局と結びつけられた周波数を記憶しこれらの周波数に迅速に同調させるためのオプションを内含している。しかしながら、従来の無線とは異なり、これらの移動体デバイスの多くは、データネットワークに接続されている。このため、これらの移動体デバイスは、データを送信及び受信することができ、デバイスを通したインターネットへのアクセスを提供する。
【０００３】
数多くの移動体デバイスはＦＭ無線局を受信すると同時にインターネットをブラウズすることができることから、このようなデバイス上で無線を聞いている場合には、無線局と結びつけられたウェブページの内容を調べることが往々にして望まれる。かかるウェブページの内容は、無線一斉放送をさらなる詳細及びその一斉放送に関係する情報で補足するか又はローカルニュース及び気象情報といった付加的な情報を提供することができる。しかしながらこれらの移動体デバイスは、標準的に、無線局と結びつけられたＦＭ一斉放送メディア及びインターネット媒体に並行してアクセスするための手段を内含していない。
【０００４】
このような従来の移動体デバイス上で無線局の一斉放送を聞きながら無線局についてのウェブページ内容を調べるためには、ユーザーは標準的に、問題の無線局に同調し、それとは別にインターネットをナビゲートしてその無線局と結びつけられたウェブサイトを見つけ出さなくてはならない。ユーザーは、該ウェブサイトについての予め選択されたブックマークを使用することにより無線局ウェブサイトまでナビゲートでき、無線局ブックマークで無線一斉放送に同調することができる。しかしながら、それでもユーザーは、無線局の一斉放送を聞くと同時に対応するウェブサイトをブラウズするために、別々に無線を同調させ、ウェブをナビゲートする。ウェブサイトブックマークと共にプリセット無線ボタンを使用するには、ユーザーが各々のメディアソースへのアクセスを制御するために別々の段階を利用することが必要となる。このようなプロセスは、時間がかかりかつ必要以上に複雑である。さらに、このようなプロセスは、１つの地理的エリア内で利用可能であり得る多数の一斉放送をスキャンする場合わずらわしいものである。このような移動体デバイス内でのこの欠点に対処するため、解決法が提案されてきた。
【０００５】
提案された１つの解決法としては、デジタル無線サービスの使用が含まれる。デジタル無線は、アナログ伝送ではなくむしろデータの無線一斉放送から成る。伝送されるデータには、オーディオ情報と合わせてさまざまなタイプの情報が含まれ得ることから、デジタル無線一斉放送を受信する移動体デバイスは、オーディオ無線一斉放送と結びつけられた内容を調べることができる。従って、デジタル無線を一斉放送する無線局は、交通、気象及び広告情報といったような情報をオーディオ一斉放送と同時に伝送できる。しかしながら移動体デバイスがインターネットと通信状態にあるのでないがぎり、ユーザーは無線局との一方向通信に制限される。換言すると、ユーザーは、無線局によって送られた情報を調べることができるかもしれず又さらにはその情報を通ってナビゲートできるかもしれないが、異なる情報を要求するとか又は２方向通信で無線局と対話することはできない。
【０００６】
もう１つの提案された解決法には、無線データシステム（ＲＤＳ）技術の使用が内含される。ＲＤＳ技術は、ＦＭ無線伝送と共に制限された量のデータの伝送を内含する。データは、ベースバンド伝送の一部である単数又は複数の副搬送波周波数で非可聴式に搬送される。伝送可能なデータの量は、比較的少なく、標準的には、プログラムサービス名（ＰＳ）、プログラムアイデンティティ（ＰＩ）、又は局一斉放送用の代替周波数といったような情報を含む。しかしながら、デジタル無線と同様、移動体デバイスがインターネットと通信状態にあるのでないかぎり、ユーザーは、無線局との一方向通信に制限される。換言すると、ユーザーは、無線局により送られた少量の情報を調べることができるかもしれないが、異なる情報を要求したり又は２方向通信で無線局と対話することはできない。さらに、ＲＤＳを使用するには、付加的なアンテナ及びチューナーが必要であり、これらは数多くのこのような移動体デバイスにおいて利用可能ではない。
【０００７】
従来の無線及び移動体デバイスの両方について、ユーザーが異なる地理的エリアに移動する場合、予備設定ボタン又は好みの無線局へのその他のプログラミング可能なショートカットは一般に、新しい地理的エリアには応用不能である。従って、ユーザーは、標準的に、所望の一斉放送を受信しかつ／又は、所望の無線局へのショートカットをリセットするために新しいエリア内で利用可能な周波数全体をスキャンする。このプロセスはユーザー特に頻繁に移動するユーザーにとっては時間のかかるイライラさせられる作業でありうる。さらにユーザーは、オーディオ情報しか伝送されていない場合、スキャンプロセス中に位置特定しスキャンされた一斉放送局の特性を完全に評価することができない。例えば、ユーザーは、オーデイオ専門局については、特にスキャン対象局がスキャンプロセス中に広告を一斉放送している場合、局のアイデンティティ及び一斉放送のジャンルを認識しないかもしれない。
【０００８】
かくして、アナログ及びデジタル通信を受信する能力をもつ移動体デバイス上での一斉放送メディアの同調を単純化するシステム及び方法に対するニーズが存在する。同様に、メディア一斉放送の受信のためのスキャンプロセスを単純化するシステム及び方法についてのニーズも存在する。さらに、異なる地理的エリアに移動した場合にメディア一斉放送に対する局のショートカットをリセットする必要性を無くさないまでも低減させるシステム及び方法に対するニーズも存在する。さらには、一斉放送信号の受信のためにスキャンしている間一斉放送局により提供されるグラフィック内容と対話することに対するニーズも存在する。
【発明の開示】
【０００９】
上述の問題そして本明細書を読み進むうちに明らかとなるその他の問題を克服するため、本発明は、アナログ及びデジタル通信を受信する能力をもつ移動体デバイス上でのメディア一斉放送の同調を提供するためのシステム及び方法を提供している。１つの実施形態においては、メディア一斉放送及び結びつけられたウェブサイトへのショートカットを提供する組合せ型機能性ブックマークが、地理的位置に従って移動体デバイス上に提供される。本発明のもう１つの実施形態においては、一斉放送局スキャン／スクロール作業は、一斉放送局及び局の特性を識別する上でユーザーを補助するスキャン対象局一斉放送を表わすグラフィックを提供することによって、単純化されている。
【００１０】
さらにもう１つの実施形態に従うと、セル一斉放送サービスにより移動体デバイスに対し、補足的一斉放送情報が提供される。本発明の１つの態様においては、補足的一斉放送情報には、ブックマーク情報が含まれる。その他の態様においては、補足的一斉放送情報は、自動無線同調という機能を可能にする。本発明の数多くの実施形態において、開示された方法を実現するためのコンピュータ実行可能命令がコンピュータ読取り可能媒体上に記憶されている。付加的には、実施形態にはテレビ、衛星、及びその他の一斉放送といったような異なる一斉放送の受信も内含され得る。本発明のその他の特長及び利点は、以下の詳細な記述及び図面を参照することで明白になることだろう。
【００１１】
本発明は、以下の図面を参照しながら好ましい実施形態についての以下の説明において詳細に記述されることだろう。
【発明を実施するための最良の形態】
【００１２】
さまざまな実施形態についての以下の説明においては、その一部を成し本発明を実践しうるさまざまな実施形態を例示の形で示す添付図面が参照指示されている。なお、本発明の範囲から逸脱することなく、その他の実施形態を利用し、構造的及び機能的修正を加えることができるということを理解すべきである。
【００１３】
図１及び図２に示されているように、本発明に従った１実施形態は、通信ネットワーク１２及び一斉放送ネットワーク１４と通信状態にある移動体データ端末デバイス（ＤＴＥ）１０を内含している。ＤＴＥ１０は一般に、メディア一斉放送を受信しデジタル通信ネットワークと相互作用する能力をもつあらゆる移動体デバイスを内含する。一斉放送ネットワークは、送信機１６から伝送される１つの無線局（図示せず）と結びつけられた無線波を内含するか又はテレビ、衛星又はその他のタイプのデジタル又はアナログ一斉放送を内含することができる。データ通信ネットワーク１２は、同じく無線局（図示せず）と結びつけられた一斉放送局サーバー１８と通信可能である。ＤＴＥ１０は一般にディスプレイスクリーン２０、メモリー２２、キーパッド２４、プロセッサ２６、無線チューナー２８、アンテナ３０及び通信ハードウェア３２を内含する。当該技術分野において周知であるように、プロセッサ２６は、メモリー２２内に記憶された命令に従ってステップを実施し、一般にＤＴＥ１０のその他のコンポーネントと相互作用する。ディスプレイスクリーン２０は、イメージをディスプレイし、キーパッド２４は、オペレータからの入力を受理するように適合されている。
【００１４】
アンテナ３０は、当該技術分野において既知の通り、送信機１６により伝送された無線一斉放送ネットワーク１４内の無線波を受信することができる。無線チューナー２８は、アンテナ３０に接続され、送信機１６から伝送されるものといったようなアンテナ３０により受信される無線波の選択された周波数を同調、復調及び増幅するように適合されている。無線チューナー２８は、数ミリセカンド以内に再同調させることのできるデジタル位相ロックループ（ＰＬＬ）シンセサイザである。通信ハードウェア３２は、当該技術分野において既知であるように、ＤＴＥ１０から送信又は受信されたマイクロ波といったような無線通信信号を受信及び変調又は復調するように適合されている。かくして、１実施形態に従ったデバイス１０は、データネットワークと同時に通信しながら無線局一斉放送を受信する能力をもつ移動体デバイスを含んで成る。しかしながら、本発明のデバイスは、それがデータ接続性及び一斉放送受信能力の両方を有することを条件として、デバイスのいずれか特定の実施形態に制限されるわけではない。
【００１５】
さらに、本発明のデバイスは、データ接続性又は一斉放送受信を可能にするためのいずれか特定の実施形態に制限されていない。例えば、ＤＴＥ１０は、ＴＤＭＡ（時分割多元接続）、ＣＤＭＡ（符号分割多元接続）、ＧＳＭ（世界的移動体通信システム）又はその他のこのようなアクセスシステムを用いる第２世代の無線システムといったような、データ接続性のための回路切換え式接続を使用することができる。その他の例においては、ＤＴＥ１０は、ＧＳＭネットワーク全体のわたるＧＰＲＳ（汎用パケット無線通信システム）といったようなパケットベースのアクセスシステム又はＷＬＡＮ（無線ローカルエリアネットワーク）又はＢＬＵＥ ＴＯＯＴＨといったような短範囲接続性システムを使用することができる。一斉放送同調に関しては、ＤＴＥ１０は、例えば、アナログ無線伝送、デジタル無線伝送、衛星無線伝送、アナログテレビ伝送、デジタルテレビ伝送又はその他のかかる一斉放送を受信することができる。
【００１６】
１つの実施形態に従うと、無線ブックマーク３４は、メモリー２２内に記憶され、ユーザーによりプログラミング及び選択され得る。無線ブックマーク３４は一般に、ファイル、インタネットプロトコル（ＩＰ）アドレス、ユニホームリソースロケーター（ＵＲＬ）などといったさまざまな資源をポイントするハンドル又は識別子を内含する。ブックマークは同様に、そのブックマークをさらに定義するパラメータを内含し得る。無線ブックマーク３４は一般に、ブックマーク３４の選択の結果として、共に特定の無線局と結びつけられたネットワークアドレス及び無線周波数の両方が選択されることになる。従って、送信機１６により伝送されるものといったような１つの無線局のための無線波の周波数に対してチューナー２８を同調させ、一斉放送局サーバー１８といったような無線局と結びつけられたネットワークアドレスに位置特定されたサーバーとデバイス１０を実質的に同時に接続させるためには、ユーザーが単純に無線ブックマーク３４を選択する。
【００１７】
例えば、無線送信機１６が、例えばコールサインＷＺＺＺをもつ無線局といったような或る種の無線局（図示せず）のためにＦＭ無線波を伝送し、一斉放送局サーバー１８が無線局ＷＺＺＺにより操作されていると仮定する。又、無線局ＷＺＺＺが、そのＦＭ無線一斉放送に補足的なものである情報を提供する一斉放送局サーバー１８上で１つのウェブサイトを維持していると仮定する。同様に、該無線局がユーザーにとっての好みの無線局であり、ユーザーが該無線局一斉放送のための周波数情報及び無線サーバー１８のネットワークアドレスを内含するべくブックマーク・ワン３６をプログラミングしたと仮定する。このため、無線一斉放送を開き、該無線局のためのウェブ内容を調べるためには、ユーザーは単にブックマーク・ワン３６を選択する必要しかない。ユーザーは、グラフィック式ユーザーインターフェースについて当該技術分野において既知であるようにディスプレイ２０上に示されたブックマーク・ワン３６のディスプレイを選択するのにキーパッド２４を使用してブックマークを選択することができる。代替的には、ユーザーは、ブックマーク・ワン３６と結びつけられたキーパッド２４上のキーを選択するか、又はブックマークを選択するべくその他のかかる方法を使用することができる。
【００１８】
ここで図３を参照すると、ユーザーがブックマーク・ワン３６を選択した場合、プロセッサはメモリー２２内に記憶された命令に従い、関連するステップを実施する。従って、プロセッサ２６は、ユーザーのブックマーク・ワン３６選択を検出する５０。ブックマーク・ワン３６は、メモリー２２内に記憶された無線プレイヤーアプリケーション３８及び無線マークアップ言語（ＷＭＬ）アプリケーションといったようなブラウザアプリケーション４０の両方をポイントする。ブックマーク・ワン３６は同様に、無線局ＷＺＺＺのための周波数情報及びウェブサイトアドレス情報を内含するパラメータ４２をも内含している。パラメータは一般に、単数又は複数のブックマークをさらに定義するか又はと結びつけられたブックマークの選択に基づいてＤＴＥ１０の性能に影響を与える情報又はデータを内含する。パラメータには、周波数情報及びネットワークアドレス情報ならびにその他のタイプの情報が含まれていてよく、そのいくつかの例について以下で論述されている。
【００１９】
ブックマーク・ワン３６の選択は、無線プレイヤーアプリケーション３８及びブラウザアプリケーション４０の両方を呼び出し、それぞれのアプリケーション３８、４０に対してパラメータ４２内の情報を提供する。無線プレイヤーアプリケーションに従うと、プロセッサ２６は、結びつけられた無線局一斉放送を受信するべくブックマーク・ワン３６のための周波数パラメータ４２に無線チューナー２８を同調させる５２。ブラウザアプリケーション４０に従うと、通信ハードウェアは、無線局ウェブサイトのためのデータを要求する一斉放送局サーバー１８のネットワークアドレスに対する要求を送る５４。要求を送るステップ５４には、すでに開いていない場合に通信チャンネルを通信ハードウェア３２を用いて開くことが含まれる。例えば、通信ネットワーク１２との通信がＧＳＭのような回路切換え式接続を介している場合には、接続はサービス時間中開放され、サービス使用が終了した時点で閉じられる。かくして、通信チャンネルは、あらゆる要求送信５４に先立って開放される必要があるかもしれない。これは同様に、接続がまだ確立されていない場合に、ＧＰＲＳといったようなパケット切換え式接続についても適用可能であり得る。
【００２０】
要求の送信５４に応じて、一斉放送局サーバー１８はデータをデバイス１０に戻し、プロセッサ２６はデータを受信する５６。この時点で、ブラウザアプリケーション４０及びサーバー１８により管理されるセッションを、一斉放送局サーバー１８と共に確立することができる。１つの実施形態に従うと、データが受信された時点で、プロセッサは、ユーザーが選択できるリンクを内含する無線局用のウェブページ（図示せず）をディスプレイする。もう１つの実施形態に従うと、ウェブページを更新するため、更新データが頻繁に受信される。このようにして、ユーザー入力の如何に関わらず、ＤＴＥ１０上にディスプレイされた情報は、プレイ中の歌の名前などといった一斉放送の現在の内容を反映するため又は局上で一斉放送されつつあるクイズ又はコンテストなどについて入力の機会を提供するため、無線一斉放送と実質的に同期化される。ディスプレイ２０中に示されたリンクをユーザーが選択するのをプロセッサが検出した場合、プロセッサ２６は、デバイス１０に、そのリンクのための一斉放送局サーバー１８からのデータを要求する６０ようにデバイス１０に命令する。従って、ブックマーク・ワン３６を単に選択することによって、ユーザーは無線局の一斉放送を聞くと同時に無線局のウェブサイトをブラウズし、かくして、無線一斉放送に補足的な情報を受信する手段を有することができる。
【００２１】
本発明のもう１つの実施形態においては、一斉放送局サーバー１８との対話は、ショートメッセージサービス（ＳＭＳ）及び／又はマルチメディアメッセージサービス（ＭＭＳ）を介して行なわれ得る。従って、ブックマークの選択５０時点で、ＤＴＥ１０は、ＳＭＳテキストメッセージといったようなメッセージをサーバー１８に送る。ＳＭＳメッセージ（図示せず）は、サーバー１８に、ＤＴＥ１０が無線局を聞き始めたという情報を提供し、サーバーからの結びつけられたデータを要求する５４。これに応答して、サーバー１８は、単数又は複数のＳＭＳ又はＭＭＳメッセージを送って、内容供給を提供する。これらのメッセージの頻度は可変的である。例えば、無線局により一斉放送されている現行のプログラムをディスプレイするために、わずか１つの初期メッセージのみを提供することができる。代替的には、５分毎といったように設定された間隔で送られてもよいし、又は例えば新しい歌がプレーされる場合といったように設定された時点で送られてもよい。さらに、ＤＴＥ１０は、それがもう１つのＲＳに同調する場合、好ましくはＳＭＳメッセージをサーバーに送り、かくして、サーバー１８に変更情報を与え、サーバーからのさらなるメッセージを終結させる。
【００２２】
発明のさらなる実施形態においては、周波数及びＩＰアドレスパラメータ情報はデバイス上に記憶されずにネットワーク１２と通信状態にあるサーバー上といったように遠隔記憶されてもよい。このことは、ユーザーがその他のプログラミングされたパラメータに応じて異なる無線局のための無線ブックマークをプログラミングできるようにするといったような数多くの恩恵を提供する。例えば、ユーザーは、ユーザーが現在いる位置用として最も電波の強いクラシック音楽の無線局をブックマーク・ワン３６が表わすことを望むかもしれない。このことは、頻繁に移動するユーザーにとって特に有益でありうる。該ユーザーの現在位置は、無線ブックマークの使用に柔軟性を加えるのに有用でありうる付加的なパラメータの一例である。ユーザーの位置は、例えば、全地球測位システム（ＧＰＳ）技術を用いて自動的に決定され得るが、本発明は、ＧＰＳ又はその他の何らかの測位技術に制限されるものではない。
【００２３】
もう１つの例では、パラメータは、ＤＴＥ１０と結びつけられた独自の器具ＩＤであり得、かくして特定のブックマークのための無線周波数及びＩＰアドレスが器具のＩＤと関連づけされるようになっている。パラメータのもう１つの例は、一意的ユーザーＩＤであり、ここでデバイス上の無線ブックマークはユーザー名及びパスワードといったような一意的ユーザーＩＤに従って適合されている。多数のパラメータが、さらに一層の柔軟性を加えることができる。さらなる一例においては、特定のデバイス１０上のブックマーク３４は、デバイスの異なるユーザーのための異なる無線局を表わし得る。このため、ユーザーは、一意的ユーザーＩＤを入力することが必要となる可能性があり、これは、ユーザー名及びパスワードとして手動式に入力することも、又デバイス内への識別モジュールの挿入又はその他の同様の手段を通して入力することもできる。従って、パラメータは、一意的ユーザーＩＤであり得、ブックマークは、個々のユーザーのプログラミングに従って無線局又は無線局に対する選好性を表わし得る。
【００２４】
さらなる例においては、パラメータには、ユーザーにより確立された選好性が含まれ、かくして、ブックマークは、日時、場所又はその他の要因に基づいて異なる局を表わすことになる。例えば、ユーザーは、ブックマーク・ワン３６がラッシュアワーの間の移動情報、日中のロック音楽及び夕方のクラシック音楽を意味することを好むかもしれない。もう１つの例においては、ユーザープロフィールは、ブックマークを新規作成するブックマークウェブサイトに提供されたユーザーの統計的情報に基づいて確立され得る。ブックマークウェブサイトは、ユーザーが受諾することを選択できるブックマークをＤＴＥ１０に転送し得る。異なる例においては、ブックマークは特定の局を表わすことができ、ユーザーの位置パラメータに基づいて、異なる一斉放送周波数がその局のために適用可能でありうる。無線局系列を伴う一例においては、ブックマークはその系列を表わすことができ、ユーザー位置パラメータに基づいて、その系列内部の１つの局について１つの周波数が適切であり得る。
【００２５】
ブックマーク３４及びそのパラメータは、キーパッド２４を用いてＤＴＥ１０上に記憶されたソフトウェアに従って、又はユニバーサル・シリアル・バス（ＵＳＢ）接続又はネットワーク通信を通してといったようにもう１つのコンピュータとのインタフェースを通して、又は移動体データ端末をプログラミングするためのその他の既知の方法を通して、プログラミングすることができる。その他の例においては、ブックマーク３４及びそれらのパラメータは、遠隔プログラミングを行って無線で（ＯＴＡ）ＤＴＥ１０まで送ることができる。このような例においては、ユーザーの友人が、１つの一斉放送局を推薦するために、ユーザーにブックマークを送ることができる。これは、Nokia ＳＭＡＲＴ ＭＥＳＳＡＧＩＮＧといったようなショートメッセージサービス（ＳＭＳ）を用いて達成可能である。もう１つの例においては、ユーザーは、ＳＭＳメッセージを用いて又はウェブベースのサービスを通して、一斉放送局からブックマークを要求することができる。さらに、一斉放送局サーバーは、ユーザープロフィールに基づいてブックマークセット全体を送ることができる。さらなる例においては、ユーザーは、ＤＴＥ１０のために遠隔でそのブックマークを構成するべくウェブベースのサービスを用い、次にＯＴＡ通信を介してＤＴＥ１０を更新することができる。さらにもう１つの例においては、ブックマークを、セル一斉放送サービス（ＣＢＳ）を用いて伝送することができ、この場合、そのエリア内の利用可能な無線局に対応するブックマークのみがそれぞれのユーザーに伝送される。一般に、ＤＴＥ１０は、１つのブックマークとして認識されているメッセージを受信した場合、自動的に又はユーザーの確認の後に、メモリー内にブックマークを記憶することができる。
【００２６】
さらなる柔軟性を提供しブックマークを伴うパラメータの使用をさらに例示するために、図４に示されているような本発明のもう１つの実施形態には、移動体端末デバイス（ＤＴＥ）１１０、局ＩＤサーバー１１３、一斉放送局サーバー１１８及び送信機１１６が内含されている。ＤＴＥ１１０は、通信ネットワーク１１２及び一斉放送ネットワーク１１４と通信状態にあってよい。局ＩＤサーバー１１３及び一斉放送局サーバー１１８は一般に通信ネットワーク１１２と通信状態にある。送信機１１６は、一斉放送ネットワーク１１４内で無線波を一斉放送する。局ＩＤサーバー１１３は一般に、選択されたブックマーク及び局ＩＤサーバーに送られたその他のパラメータに基づいて一斉放送局を識別するサーバーを内含している。局ＩＤサーバー１１３は一般に、記憶媒体１１５及び記憶媒体内に収納された命令を処理するためのプロセッサ１１７を内含する。例示を目的として、ユーザーが家族のメンバーとＤＴＥ１１０を共有し、従って、ユーザーとそのブックマーク選好性を識別する一意的ユーザーＩＤを手動式で入力したと仮定する。さらに、デバイス１１０が一般に、本書にて論述されている差異及び態様を除いて前述の実施形態におけるＤＴＥ１０と類似している図５に示されている通りに構成されるものと仮定する。
【００２７】
従って、ＤＴＥ１１０は、メモリー１２２内に記憶されディスプレイ１２０上にグラフィックにディスプレイされているブックマーク・ワン１３６とブックマーク・ツー１３７を内含する。ブックマーク１３６、１３７の各々は、無線プレイヤ／ウェブサイトヴューアアプリケーション１３９及びユーザーＩＤ１４１のパラメータをポイントしている。１つの実施形態に従ったプレイヤ／ヴューアアプリケーション１３９は、フラッシュ又はＳＭＩＬ（同期化マルチメディア統合言語）プラグインを実行するブラウザアプリケーションである。アプリケーション１３９は、端末の初期ソフトウェア一式内に含まれていてもよいし、或いはＤＴＥ１０上でダウンロードされるか又はその他の形でインストールされ得る。ブックマーク・ワン１３６が選択された場合、それは、アプリケーション１３７を呼出し、それをメモリー１２２内に記憶された一意的ユーザーＩＤ１４１にポイントする。アプリケーション１３９は、選択されたブックマーク及びユーザーＩＤ１４１に基づいて、プロセッサ１２６に対し、ＤＴＥをセットアップして一斉放送を受信し選択されたブックマーク及びユーザーＩＤパラメータのためのウェブサイトと接続するよう命令する。かくして、ブックマークを、同じデバイスの異なるユーザーのために一意的に構成することができる。
【００２８】
このような実施形態に従った本発明の使用は、一般に図６に例示されている。ユーザーは、ＤＴＥ１１０上で例えばブックマーク・ワン１３６といった無線ブックマークを選択することにより、ステップ１５０内でプロセスをスタートする。アプリケーション１３９を呼出すブックマーク・ワン１５０の選択に応えて、プロセッサ１２６は、局ＩＤサーバー１１３に対し無線局一斉放送局サーバー１１８のネットワークサービスアドレス及び無線一斉放送周波数情報に対する要求を送るステップ１７０を実施する。該要求は、ブックマーク・ワン１３６といったような特定のブックマークに関係づけされ、一意的ユーザーＩＤ１４１といったような関係づけされたパラメータに基づいている。局ＩＤサーバー１１３は、一意的ＩＤパラメータ１４１を含む要求を受信し、一意的ＩＤ１４１及びブックマーク・ワン１３６についての適切な周波数情報及びネットワークアドレス情報を決定し、通信ネットワーク１１２を介してＤＴＥ１１０に情報を戻す１７２。ＤＴＥ１１０はその後チューナー１２８を同調させて１７４、無線一斉放送を受信し、戻されたネットワークアドレスに位置する一斉放送局サーバー１１８からのデータを要求する１７６。サーバー１１８は好ましくは、無線局ウェブサイトと結びつけられたデータを送り、これをＤＴＥ１１０又はネットワーク１１２を介して受信する。従ってユーザーは、サーバー１１８のためのウェブサイトディスプレイを調べることができ、ウェブサイトディスプレイ上に示されたリンクを選択し得る１８０。かかる選択に応えて、プロセッサ１２６は、選択されたリンクと結びつけられたデータを要求する１８２。
【００２９】
ここで図７及び８を参照すると、ＤＴＥ２１０、局ＩＤサーバー２１３及び一斉放送局サーバー２１８の間のメッセージフローに関して以外、前述の実施形態の全ての態様及び選好性を一般に内含する、本発明のさらなる実施形態が示されている。ここで示されている同じ番号は、前述の実施形態と同じコンポーネント、ステップ及び特長を意味している。従って、ユーザーがＤＴＥ２１０上で無線ブックマークを選択するにつれて２５０、プロセッサは該入力を受信し、ネットワーク２１２を介して局ＩＤサーバー２１３に１つの要求を送る２７０。該要求は同様に、選択されたブックマーク及びユーザーの一意的ユーザーＩＤのパラメータに基づく無線局のためのサーバー２１８用ネットワークアドレス及び一斉放送 情報に対するものである。局ＩＤサーバー２１３は、選択されたブックマーク及び送信されたパラメータのための適切な無線局を選択し、選択された無線局のためのサーバー２１８へと、サーバー２１８のネットワークアドレスに対する要求を転送する２９０。一斉放送局サーバー２１８は今度は、周波数情報及びそのウェブサイトのためのネットワークアドレスをＤＴＥ２１０に送る２９２。
【００３０】
サーバー２１８から周波数及びネットワークアドレス情報を受信した後、ＤＴＥ２１０はチューナーを同調させて２９４、無線局一斉放送を受信する。好ましくは、サーバー２１８から送られた情報と共に内含されているのは、無線局のウェブサイト用のウェブサイトデータである。従って、ＤＴＥ２１０は、ウェブサイトデータを受信する２９６につれて、ＤＴＥディスプレイ上にウェブサイト情報をディスプレイする。ユーザーはこのときウェブサイトディスプレイから１つのリンクを選択し２９８、ＤＴＥ２１０はネットワーク２１２を介して該リンクに従ってデータを要求する。該リンクと結びつけられたデータに対する要求は、ネットワーク２１２又はサーバー２１８と通信状態にある異なるサーバーに対するものでありうる。
【００３１】
図１−４と共に、図９−１６は、図１−４に例示された第１の実施形態の態様及び選好性を一般に内含するその他の実施形態を示している。長距離通勤者又はセールスマンといったような頻繁に移動するユーザーは、自らの現在の地理的位置内で利用可能な局又はユーザーが要求した地理的位置のためのブックマークを調べたいと考えるかもしれない。このため、ユーザーが望む場合には、移動体デバイスがユーザーの現在位置を自動的に決定しそれに応じてブックマークをディスプレイすることが有用となるだろう。さらに、地理的位置内で利用可能な局のためのブックマークを通したスクローリングを、各々の利用可能な局についてのブックマークをその局についての地理的情報と共に表わすことによって改善することが可能である。本書で用いられているスクローリングというのは、一般に、移動体デバイス上で一群のブックマークを見直すことを意味する。ブックマークは、数多くのやり方で見直し可能である。例えば、異なる方向（例えば横方向、対角線方向、上向き及び下向き）にリストに沿って移動させることにより、ブックマークリストを調べることができる。もう１つの例では、さまざまなヴュー及びシーケンスでブックマークをディスプレイするユーザーインターフェースをナビゲートすることにより、一群のブックマークを調べることができる。
【００３２】
ここで図９を参照すると、１つの地理的エリアについて利用可能なブックマークを地理的に表わし、かつ結びつけられた局のデータ双方向性能力を標示するように適合されたＤＴＥ３１０が示されている。ＤＴＥ３１０は一般に、ブックマーク３３４がＤＴＥ１０の地理的位置パラメータに関係づけられメモリー３３２がブックマークデータベース３３５及び無線スキャン／プレイヤ／ヴューアアプリケーション３３７を内含するという点を除いて、図２のＤＴＥ１０と同じである。ブックマークデータベース３３５は、ブックマーク及び各ブックマークと結びつけられた地理的位置パラメータ（図示せず）を含み、結びつけられた局を表わす局ロゴといったようなグラフィック及び該グラフィックを収納するファイルに対するポインタを、任意に内含し得る。データベース３３５はさらに、各ブックマークと関連するさらなるパラメータ又はその他の情報を内含しうる。アプリケーション３３７は、ウェブサイト双方向性を提供することと共に同調及びスキャン能力を提供するためにフラッシュ又はＳＭＩＬ（同期化マルチメディア統合言語）プラグインを実行するブラウザアプリケーションであり得る。アプリケーション３３７は同様に、ＪＡＶＡ（登録商標）２ Micro Edition（Ｊ２ＭＥ）環境で実行するアプリケーションといったような専用一斉放送 アプリケーションでもあり得る。
【００３３】
アプリケーション３３７は、地理的位置パラメータに従ってブックマークを提供し、現在の地理的位置情報を決定するように適合されている。例えば、地理的位置情報は、セルラーネットワークとの対話に基づきＤＴＥ３１０によって、図形的測位システム（ＧＰＳ）技術を介して、又は無線データシステム（ＲＤＳ）メッセージを含む一斉放送メディア伝送を通して、決定可能である。もう１つの例では、ユーザーは単に、キーパッド３２４を介してＤＴＥ３１０内に地理的位置情報を入力するだけでよい。
【００３４】
図１０は、本発明の１実施形態に従って地理的位置情報を決定するためのユーザー入力方法３５０を例示している。図示されているように、ユーザーは、キーパッド３２４を介して位置情報を入力する３５２ことによってその位置を規定することができ、この情報は次にメモリー３３２内に記憶される３５４。地理的位置情報はさらに、それがＤＴＥ３１０上に記憶されたことをユーザーに示すためディスプレイ３２０上にディスプレイされ得る。地理的位置情報は、例えば、郵便番号又は都市を含み得る。かかる方法は、例えば、ユーザーが自らの現在位置とは無関係に自宅の位置についてのブックマークを調べたい場合などに望まれる可能性がある。もう１つのケースでは、ユーザーは、自らの現在位置についてディスプレイされることのない近辺の位置のためのブックマークと結びつけられた弱い一斉放送信号に同調することを望むかもしれない。
【００３５】
図１１は、本発明のもう１つの実施形態に従って、図９に示されたＤＴＥ３１０上の地理的位置情報を決定するためのセルラーネットワーク方法３５６を例示している。図示されているように、アプリケーション３３７の実行に応答して、該アプリケーションは、図１に示された通信ネットワークといったようなセルラーネットワーク１２からの地理的位置情報を要求する３５７。セルラーネットワーク１２は、既知の方法を用いてＤＴＥ３１０の位置を決定する３５８。例えば、ＤＴＥ３１０からの伝送の信号強度及び／又は隣接するセルを用いた三角測量方法（例えば到来角（ＡＯＡ）、到来時間差（ＴＤＯＡ）など）に基づいて、セルラーネットワーク１２は、ＤＴＥ３１０の位置を正確に決定することができる。ひとたび決定されたならば、ネットワーク１２はＤＴＥ３１０に対して地理的位置情報を報告する３５９。地理的位置情報の受信時点で、ＤＴＥ３１０はメモリー３３２内に地理的位置情報を記憶する３６０。任意には、ＤＴＥ３１０は単純に、現在のセルについての地理的位置情報を提供するセルラーネットワーク１２用の管理チャンネルを監視するだけでよい。地理的位置情報はさらに、ＤＴＥ３１０上に記憶されている現在の位置をユーザーに示すべくディスプレイ３２０上にディスプレイ３６１され得る。
【００３６】
地理的位置情報を決定するべくアプリケーション３３７のプログラミングに従ってセルラーネットワーク方法３５６を反復的に使用することができる。例えばユーザーが地理的位置パラメータに基づいてブックマークを見直す場合にはいつでもアプリケーション３３７はプロセッサ３２６及び通信ハードウェア３３２に対し地理的位置情報を更新するよう命令することができる３３７。もう１つの例においては、アプリケーション３３７をセットアップして、地理的位置情報に対する要求を定期的に開始することができる。さらなる例においては、ＤＴＥ３１０はネットワーク１２を監視し、異なるセルへのハンドオーバー又は信号強度の変化などに基づいて、位置が充分に変化したことを決定した場合には新しい位置を自動的に要求し記憶する。
【００３７】
図１２は、本発明のさらなる実施形態に従った図９に示されたＤＴＥ３１０上で地理的位置情報を決定するための無線データシステム（ＲＤＳ）伝送方法３６２を例示している。ＲＤＳ技術には、ＦＭ無線伝送と共に制限された量のデータを伝送することが含まれ、往々にして地理的位置情報が含まれる。データは、非可聴式のベースバンド伝送の一部分である単数又は複数の副搬送波周波数で搬送される。方法３６２用のＤＴＥ３１０は、ＲＤＳ伝送を受信するためのＲＤＳチューナー（図示せず）及び付加的なアンテナ（図示せず）を内含する。アプリケーション３３７の実行に応えて、ＲＤＳ位置データを受信する３６６段階を含め、アプリケーションはＦＭ一斉放送３６５を受信する３６４。位置データ（図示せず）に基づいて、ＤＴＥ３１０は、地理的情報を抽出し３６８、メモリー３３２内にその情報を記憶する３７０。地理的位置情報は、ＤＴＥ３１０中に記憶された現在の位置をユーザーに示すべくさらにディスプレイされ得る３７１。
【００３８】
図１３は、本発明のさらなる実施形態に従った、図９に示されたＤＴＥ３１０上で地理的位置情報を決定するための全地球測位システム（ＧＰＳ）方法３７０を例示している。図示されているように、アプリケーションの実行３３７に応えて、ＤＴＥ３１０は当該技術分野において既知のとおりのＧＰＳ受信機（図示せず）を介してＧＰＳ信号３７３を受信する。ＧＰＳ信号に基づいて、ＤＴＥ３１０は正確にその位置を決定する３７４。ひとたび決定されると、ＤＴＥ３１０はその地理的位置情報をメモリー３３２内に記憶する。前述の実施形態の場合と同様に、地理的位置情報は、ブックマークがユーザーによってアクセスされた場合につねに、又はアプリケーション３３７のプログラミングに従ってその他の時点で、規則的間隔で決定可能である。地理的位置情報は、ＤＴＥ３１０内に記憶された現在の位置をユーザーに示すべくさらにディスプレイされ得る３７７。
【００３９】
ここで図１４及び１５を参照すると、特定の地理的位置についてブックマークを見直し、かつメディア局一斉放送を受信しブックマークの選択に基づいてメディア局用のウェブサイトと対話するための方法３７８が示されている。例えば方法３５０、３５６、３６２又は３７０によって決定可能である地理的位置情報に従って、ユーザーは、決定された地理的位置情報と整合する地理的位置パラメータを有するブックマークを調べるよう要求する３８２。該ブックマークは、アプリケーション３３７を用いてユーザーにより好みのブックマークとして予めセーブされている可能性がある。以下で論述するその他の例においては、ブックマークは、該地理的位置のための利用可能な一斉放送局を見つけるアプリケーション３３７の自動スキャン機能を介して確立され得る。ユーザーの要求に応えて、アプリケーション３３７は、現在の地理的位置情報に従ってディスプレイ３２０にブックマーク３３４を列挙させる３２０。ブックマークは同様に、所望の音楽ジャンルといったようなその位置パラメータと組合わされたその他のパラメータを用いてディスプレイされてもよい。キーパッド３２４を用いて、ユーザーは、ディスプレイされたブックマークから所望のブックマークを選択する３８６。所望のブックマーク３３６の選択時点で、アプリケーション３３７は、データベース３３５からのブックマーク３３６のための周波数及び地理的位置パラメータをフェッチする３９０。
【００４０】
ブックマーク３３６用の周波数をフェッチした後、アプリケーション３３７はチューナー３２８に対しブックマーク３３６用周波数に同調させかくしてオーディオ一斉放送を受信３９２するように命令する３９１。オーディオ一斉放送の受信と合わせてディスプレイ３２０上にグラフィック３３９を見い出し３９３ディスプレイする３９４ようにアプリケーション３３７を構成することもできる。グラフィックは、オーディオ一斉放送がプレー中であることをユーザーに示す全ての局に共通の標準的無線インジケータであり得る。このため、ユーザーは、ブランクスクリーンを調べず、オーディオ一斉放送受信のインジケータを見ることができる。しかしながら好ましくは、グラフィック３３９は、ブックマーク３３６と結びつけられたメモリー３３２内に記憶されたロゴイメージ又はアニメーション（図示せず）を内含する。さらにグラフィック３３９は、ディスプレイ３２０上にディスプレイされた結びつけられたブックマークの一部を形成することができる。
【００４１】
グラフィック３３９はさまざまな利点を提供する。例えば、それは、対話型デジタル内容が、一斉放送局のために利用可能であることを標示できる。それはさらに、ユーザーにより直ちに認識可能である一斉放送局の魅力的な標示を提供することができる。これは同様に、一斉放送局についての情報を提供するか又は製品又はサービスを広告することもできる。その他の実施形態においては、グラフィック３３９は、該一斉放送局用のウェブサイトから得ることのできる数多くのダウンロード可能なグラフィックの１つといったようなカスタマ化可能なものであり得る。グラフィック３３９には、アニメーション、サウンド、ビデオクリップ及びその他の内容が含まれる可能性がある。
【００４２】
その他の実施形態においては、グラフィックは、当初標準的な無線インジケータであり得、デジタル接続性が確立された時点で一斉放送局サーバー１１８からひきつづき受信したロゴイメージ又はアニメーション（図示せず）でこれを置換する。グラフィックならびにウェブサイトアドレス及びその他のブックマーク情報は、図４に関連して上述した方法に従って局ＩＤサーバー１１３から得ることができる。ブックマークについてのこのような情報を受信した後、アプリケーション３３７は好ましくは、かかるブックマーク情報をデータベース３３５内に記憶する。本発明の１つの実施形態に従うと、かかるブックマーク情報は、アプリケーション３３７のプログラミングに従ってデータベース３３５内に記憶された全てのブックマークについて、局ＩＤサーバー１１３から定期的に更新可能である。
【００４３】
本発明のもう１つの実施形態においては、ユーザーは、データベース３３５内に記憶されたブックマーク用のブックマーク情報を局ＩＤサーバー１１３から更新するように手動で要求することができる。かかる更新中に各々のブックマークと結びつけられた局を正確に識別するために、周波数及び地理的位置パラメータ情報が局ＩＤサーバー１１３に伝送される。データベース３３５の中に記憶されているサーバー１１３に対して局識別情報を伝送することにより、局ＩＤサーバー１１３に対し局を正確に識別することもできる。該局識別情報は、局一斉放送と共にＲＤＳ信号から又はその局用の一斉放送局サーバーとの通信を通してすでに受信されている可能性がある。本発明の変形実施形態においては、ＲＤＳ信号を介して一斉放送周波数に同調されている間に適切なウェブサイトアドレス及びグラフィックを受信することができる。さらにもう１つの実施形態においては、グラフィック局識別子の送達及びディスプレイは、マルチメディアメッセージサービス（ＭＭＳ）メッセージといったようなメッセージングと共に実施可能である。従って、ＤＴＥ３１０が或る無線局に同調された時点で、データベース３３５内でその無線局の対応するグラフィックディスプレイの存在を探索することができる。発見されない場合、グラフィック及び／又は呼出し音オーディオファイルを含むＭＭＳメッセージが、ショートメッセージサービス（ＳＭＳ）メッセージを用いてサービスから要求される。受信された時点で、ＭＭＳメッセージは、無線局のグラフィック及び／又はオーディオ表現を構築するために用いられる。
【００４４】
あらゆる場合において、グラフィック３３９は、好ましくは、所望の一斉放送メディアの受信を標示するべくディスプレイ３２０上にディスプレイされる。その後チューナー３２８の同調と並行して、アプリケーション３３７は、サーバー用のウェブサイトアドレスを用いて、一斉放送局サーバー１１８との通信を要求する３９５。これに応答して、通信ハードウェア３３２は、一斉放送局サーバー１１８からデータを要求する３９６。従って、ＤＴＥ３１０は、通信ハードウェア３３２を介してデータを受信し３９８、ディスプレイ３２０上に結びつけられた内容をディスプレイする３９９。
【００４５】
かくして、方法３７８に従うと、ユーザーは、当初その現在の地理的位置用の又は任意には選択された地理的位置用のブックマークの提示を受ける。ユーザーは、ひとたびブックマークを選択すると、オーディオ無線メディアといったような一斉放送メディアの受信を示すグラフィック３３９を調べることができる。一斉放送局サーバー２１３からのデータが受信されると、ＤＴＥ３１０は、一斉放送局のウェブサイトのための対話型データといったような現在のデータを示す。本発明のその他の実施形態においては、グラフィック３３９、ウェブサイトデータ及びその他のブックマーク情報をＲＤＳ信号を介して受信することが可能である。
【００４６】
往々にして、ブックマークは、好みの無線局といったような既知の一斉放送局に結びつけられている。しかしながら数多くのケースにおいて、ユーザーは、自らが知らないもののその地理的位置内で利用可能である一斉放送局用のブックマークを見直したいと考えるかもしれない。このため、ユーザーは、自らの地理的位置内の利用可能な局用のブックマーク全体をスクロールすることを望むかもしれない。かかるスクローリングは、結びつけられた局がデジタル双方向性を含むか否かを識別できる局についてのグラフィック情報と共に各々の利用可能な局用のブックマークを表現することによって、改善できる。従って、本発明の実施形態に従ったアプリケーション３３７は、自動スキャン機能を内含している。自動スキャン機能は、ユーザーが所望の一斉放送に対し同調する一方で利用可能な一斉放送についてのグラフィック情報を調べることができるようにする。自動スキャンプロセスから獲得した情報は、地理的位置用の１組のブックマークを確立するために使用することができる。
【００４７】
ここで図９と共に図１６−１７ｄを参照すると、地理的エリア内で利用可能なメディア一斉放送についてスキャンし、スキャンされた一斉放送局を目視で見直すことによって移動体デバイスを同調させ、かつ任意には利用可能な一斉放送局からのブックマークを新規作成するための方法４００が示されている。図示されているように、該方法は、ＤＴＥ３１０のユーザーがラジオを聞くためのオプションを選択した時点で開始する。このような選択は、アプリケーション３３７へのキーパッド３２４上のショートカットキーをユーザーが入力すること又はその他のユーザーインターフェース方法を介して、行なわれ得る。アプリケーション３３７の実行後に、ユーザーはアプリケーション３３７の「スキャン」機能を選択する４０４ことができ、これによりチューナー３２８は、利用可能な局一斉放送を見つけるべく４０６、適切な周波数帯域幅をスキャンすることになる。単数又は複数の一斉放送周波数が発見された時点で、チューナー３２８は、アプリケーション３３７に対しこのような周波数を報告する４０８。
【００４８】
図１７ａに示されているように、アプリケーション３３７は、ＤＴＥ３１０が自動同調中であることをディスプレイ３２０上で標示することができる。ユーザーは同様に、自動同調オペレーションを制御するオプションの提示を受けることもできる。例えば、チューナー３２８により位置特定された現在の周波数４１６と共に、ディスプレイ３１０上にＵＰ４１０、ＤＯＷＮ４１２及びＳＥＬＥＣＴ４１４オプションを示すことができる。ユーザーがＵＰ４１０又はＤＯＷＮ４１２オプションを選択した場合、アプリケーション３３７は、それぞれ現在の周波数により上又は下をスキャンするようにチューナー３２８に命令する。ユーザーがＳＥＬＥＣＴ４１４オプションを選択した場合、又は任意には、ＴＥ３１０がユーザーの入力を待つタイムアウト時間の満了に応答して、チューナー３２８はディスプレイされた現在の周波数に同調し、受信したオーディオ一斉放送を流し始める４１０。図１７ｂ内で示されているように、ディスプレイ３１０は、ユーザーに対し、ＤＴＥ３１０が同調している周波数をディスプレイする３１０ことができる。
【００４９】
スキャンされた周波数の選択時点で、アプリケーション３３７は、一斉放送局用のグラフィック３３９を見つけ４１８ようと試みる。アプリケーション３３７はまず第１に、該局のために局所的にブックマークが記憶されているか否かを見極めるためにブックマークデータベース３３５を探索する。例えば、現在の地理的位置情報及びスキャンされた周波数に基づいて、アプリケーション３３７は、スキャンされた一斉放送局のための結びつけられたブックマーク情報をもつブックマークを位置特定できるかもしれない。図１７ｃに示されているように、ブックマークが見つかり、グラフィック３３９がそのブックマーク用のデータベース３３５内に記憶された場合、記憶されたグラフィック３３９は当初ディスプレイ３２０上にディスプレイされる４２０。グラフィック３３９と共に、任意には、一斉放送が受信中であることをユーザーに示すべく、一斉放送受信インジケータ４２２がディスプレイされる。その他の実施形態においては、グラフィック３３９ならびにウェブサイトデータ及びその他のブックマーク情報を、セル一斉放送メッセージといったようなＲＤＳ信号又はデータメッセージを介して受信することができる。さらなる実施形態においては、局ＩＤサーバー１１３といったようなサーバーから、グラフィック３３９を要求することができる。さらにもう１つの実施形態においては、グラフィック３３９及び／又はオーディオファイルを要求し受信するためにＳＭＳ及び／又はＭＭＳメッセージを使用することができる。
【００５０】
アプリケーション３３７はさらに、現在のスキャンされた一斉放送と結びつけられた局について、ウェブサイトといったようなデータサービスについて検査する。一斉放送信号がＲＤＳ信号の一部として局アイデンティティを含む場合、この局アイデンティティ情報は、データ接続性情報を要求するために使用される。そうでない場合、データ接続情報を要求するために周波数及び地理的位置情報が用いられる。かかる情報を用いて、アプリケーション３３７は、通信ハードウェア３３２に対し、局ＩＤサーバー１１３に周波数及び地理的位置情報を送り４２６、図１〜８と共に論述された方法に従って一斉放送局と結びつけられたウェブサイトからのデータの受信を要求するように命令する４２４。図１７ｄに示されているように、データサービスを探索する間に、ディスプレイ３２０は任意にはデータサーチインジケータ４２８をディスプレイしてＤＴＥ３１０がデータサービスを探索していることを示す。
【００５１】
現在のスキャン対象局についてのデータサービスを通信ハードウェア３３２が受信した４３０場合、情報は処理され４３２、デジタル内容はディスプレイ３２０上にディスプレイ４３４される。図１７ｄは、スキャン対象の一斉放送局のためのデータサービスの受信時点で示される増強されたディスプレイを例示している。ここに示されているように、更新されたグラフィック３３９ならびに一斉放送局サーバー１１８用のウェブサイトといった接続性情報が受信可能である。この情報は好ましくはデータベース３３５内に自動的に記憶され、その局についてブックマークが存在しない場合、１つが新規作成される。ブックマークは好ましくは、ジャンル、グラフィック３３９、ウェブサイト情報、地理的位置、周波数などといったような利用可能なかぎりの情報を内含する。ユーザーには又、好みのブックマークとして該一斉放送局をセーブするオプションが提供される可能性もある。さらに、任意には、地理的位置用のブックマークとして自動スキャンプロセスから任意特定された全ての局をセーブするようにアプリケーション３３７をセットアップすることができる。
【００５２】
前述の方法を示す１例として、ユーザーが自ら一年前に訪れた異なる位置まで移動すると仮定する。このユーザーが、利用可能な一斉放送局をスキャンすることを望んでいると仮定する。図１７ａに示されているように、プログラミングされた選好性として、アプリケーション３３７が周波数範囲の上端部で開始し、下へと作業を進めるものと仮定する。利用可能な一斉放送として、ＤＴＥ３１０は周波数１０４.６を位置特定するものと仮定する。１０４.６を短時間聞いた時点で、又ユーザーがもう１つの局を試す決定を下したとも仮定する。このため、ユーザーは、ディスプレイ３１０上にディスプレイされたダウンオプションを選択することができる。ユーザーがそれを行ない、チューナー３２８がその後充分に強い信号を有する実行できる一斉放送として周波数１０２.３を位置設定すると仮定する。ユーザーが何も行なわない場合、ＤＴＥ３１０はタイムアウトし、一斉放送１０２.３に同調し始める。さらに、アプリケーション３３７は、方法３５０、３５６、３６２及び３７２０のうちの１つにより決定されるように、当該地理的位置における現在の周波数のための古いブックマークをデータベース３３５内に見つける。図１７ｄに例示されているように、この古いブックマークについてのデータに基づいて、ＤＴＥ３１０は、記憶されたグラフィック３３９をディスプレイし、データベース３３５内に記憶されたウェブサイトアドレスに接続しようと試みる。局ウェブサイトからのデータをうまく受信した時点で、新しいグラフィック３３９と共に、図１７ｄに示されているように、関係する内容がディスプレイ３１０内でディスプレイされる。さらに、古いブックマークはユーザーが将来参照するために更新される。
【００５３】
一変形実施形態（図示せず）においては、ＤＴＥ３１０は、局ＩＤサーバーといったようなサーバーからの現在の地理的エリア内で利用可能な全ての一斉放送についての情報を要求することができる。かかる情報の受信時点で、ＤＴＥ３１０は、好ましくはグラフィック３３９を含む全ての利用可能な一斉放送に対するブックマークを確立する。このため、ユーザーは、地理的エリアにおける入手可能な一斉放送についてグラフィックブックマーク全体を容易にスクロールすることができる。
【００５４】
上述の実施形態のうちの多くのものにおいて、情報及び移動体デバイス ブックマークに対し特定の局一斉放送を補足するその他の情報を提供するために、ＲＤＳ伝送を使用することができる。当該技術分野において既知の通り、ＲＤＳ伝送は往々にして、特定のプログラム又は局一斉放送が伝送されている代替周波数（ＡＦ）を内含する。さらに、ＲＤＳ伝送は往々にして、伝送を介して一斉放送されつつある現在のプログラムを識別するプログラムアイデンティティ（ＰＩ）情報（例えばトークショーの名前）及び、一斉放送局を識別するプログラム局（ＰＳ）情報（例えばズームＦＭ）を内含する。地理的位置情報といったようなその他の情報もＲＤＳを介して伝送され得る。伝送されたＲＤＳ情報に基づいて、無線受信機は、ユーザーにとって非常に使いやすいものとなるようにプログラミングされ得る。例えば、無線受信機は、信号が弱くなりより強い信号が利用可能になるにつれて、受信中のＰＩのためのＡＦに迅速に同調できる。しかしながらこのような無線受信機は、ＲＤＳ復調器／復号器をこのような伝送を受信するために必要とし、デジタル通信を受信することのできる数多くの移動体デバイス上では利用できない可能性がある。
【００５５】
ＲＤＳ能力のない移動体デバイス上のＲＤＳ伝送の利点は、セル一斉放送サービス（ＣＢＳ）伝送を通してといったように、そうでなければＲＤＳ伝送内に提供される情報を提供するデジタル通信の使用を通して実現可能であるという点である。ここで図１８−２１を参照すると、本発明の実施形態に従ってデジタル通信ネットワーク全体にわたり補足的一斉放送 情報を提供するためのシステム及び方法が示されている。図１８は、例えばＧＳＭアンテナ５３１を介して世界的移動体通信システム（ＧＳＭ）ネットワークといったようなデータ通信ネットワークからのデジタル通信及びＶＨＦ／ＦＭアンテナ５３０を介してのアナログ一斉放送伝送を受信するように適合されているＤＴＥ５１０を示している。本発明は、ＧＳＭアンテナ５３１を介してＧＳＭデータを受信することに制限されず、その他のタイプのアンテナ配置も同様に可能であるということに留意すべきである。ＣＢＳ伝送に関係する態様を除いて、ＤＴＥ５１０のための態様及び選好性は、一般にＤＴＥ３１０と同じである。
【００５６】
１つの実施形態に従うと、ＣＢＳ伝送内で受信されるＲＤＳ情報に従って、ＶＨＦ／ＦＭ受信機５３０を同調させかつ／又は再同調させるためにソフトウェアを使用することができる。このため、ＪＡＶＡ（登録商標）２  Micro  Edition（Ｊ２ＭＥ）環境内で実行するアプリケーションとして実施されうるＶＨＦ／ＦＭ無線アプリケーションプログラミングインターフェース（ＡＰＩ）５３９、無線メッセージＡＰＩ（ＷＭＡ）５３３及び無線プレイヤーアプリケーション５３７が、ＤＴＥ５１０のメモリー５２２内に記憶される。オペレーション中、ＧＳＭアンテナ５３１が、ＲＤＳ情報を送達しているＣＢＳ伝送を受信するように同調されている場合、受信されたＣＢＳメッセージ６００（図２１に示されているもの）にＷＭＡ５３３を介して無線プレイヤーアプリケーション５３７に提出される。無線プレイヤーアプリケーション５３７は、ＲＤＳ情報を復調させることができ、情報に基づいて、適切な周波数を選択することができる。ＶＨＦ／ＦＭ無線ＡＰＩ５３９を用いて、無線プレイヤーアプリケーション５３７は、所望の一斉放送伝送を受信するべく、好ましくはデジタル位相ロックループ（ＰＬＬ）シンセサイザであるチューナー５２８を同調させる。かくしてＲＤＳ情報ならびにユーザー指令といったようなその他の入力に基づいて、アプリケーション５３７は、一斉放送メディア及び内容のプレー及びディスプレイに関してＤＴＥ５１０を制御するためにプロセッサ５２６に対して命令を提供する。
【００５７】
図２１は、標準的には８８オクテットから成る、標準的な単一ページＣＢＳメッセージ６００を示している。各々のＣＢＳメッセージは、１〜１５ページから成り得る。ＣＢＳメッセージ６００は、受信機により肯定応答されていない特定の地理的エリア内の全ての受信機に送られる一斉放送メッセージの１つのタイプである。各々のＣＢＳメッセージページは、シリアル番号６０２、メッセージ識別子６０４、ページ番号６０６、データ符号化スキーム６０８、及びメッセージ内容６１０を内含する。メッセージ識別子６０４は、メッセージのソースを表わし、シリアル番号６０２は、特定のメッセージのための一意的識別子である。ページパラメータ６０６は、ＣＢＳメッセージ６００内の合計ページ数（メッセージ）及びメッセージシーケンス内の現在の番号を表わす。データ符号化スキーム６０８は、言語又はフォーマットといったようなメッセージ内容についての符号化情報を提供する。
【００５８】
本発明の１実施形態に従ったＲＤＳメッセージは各々、ＣＢＳメッセージの内容６１０の中で搬送される。例えば図２１に示されているＲＤＳメッセージ６２０は、ＣＢＳメッセージ６００内で搬送される。ＲＤＳメッセージ６２０は、ＰＩ６２２、ＰＳ６２４、ＡＦ６２６及びＲＤＳ／ＣＢＳメッセージを送る一斉放送セルについての位置情報又はブックマークグラフィックについてのデータといったようなその他の情報６２８を内含する。ＣＢＳメッセージ内にＲＤＳメッセージを搬送することにより、移動体デバイスがＲＤＳ技術の恩恵を獲得することができ、移動体デバイスは、通信ネットワーク上でＣＢＳメッセージを受信し、一斉放送メディアを受信することができる。
【００５９】
図１９を参照すると、一斉放送伝送を補足する上でのＣＢＳメッセージの利点を例示するべく、一斉放送ネットワーク７００の一例が示されている。一斉放送局７１０が「ＺＯＯＭ  ＦＭ」という局名でＦＭ無線を一斉放送すると仮定する。局７１０からの一斉放送信号は、電線を介してか又は代替的には無線ラジオリンクを用いて無線で、フィンランドのエスポーに位置する第１の送信機７１２及びフィンランドのツルクに位置する第２の送信機７１４に送られる。第１の送信機７１２は、エスポーの町の周辺の地理的エリアに対し１０６.２ＭＨｚの周波数で一斉放送局ＺＯＯＭ ＦＭを伝送し、第２の送信機７１４は、ツルクの周辺の地理的エリアに対し１０３.９ＭＨｚの周波数で同じ一斉放送局を伝送する。ＡＦ、ＰＩ及びＰＳデータを内含するＰＤＳ情報が、一斉放送と共に送信機７１２、７１４によって伝送される。一斉放送局７１０は、エスポー、ツルク及びその間の領域という地理的位置にサービスを提供するセル一斉放送エンティティ（ＣＢＥ）７１６に同じＲＤＳ情報を送る。
【００６０】
ここで図１９と合わせて図２０を参照すると、無線局ＺＯＯＭ ＦＭのドメインを網羅する公衆陸上移動体ネットワーク（ＰＬＭＮ）７１８が示されている。ＰＬＭＮ７１８は、無線局ＺＯＯＭ ＦＭの一斉放送ドメイン内で、セル１７２０、セル２７２２、セル３７２４を含む、そのドメイン内部の移動体デバイスに対するＧＳＭ移動体通信を提供する。図示されているように、セル１７２０及びセル２７２２は、無線一斉放送送信機７１２により伝送されるＺＯＯＭ ＦＭのためのＦＭ無線一斉放送を受信し、セル３は、送信機７１４からのＺＯＯＭＦＭ一斉放送を受信する。一斉放送局７１０とＰＬＭＮ７１８の間の契約に基づき、ＲＤＳ情報は、ＣＢＳメッセージを通して一斉放送伝送エリアと一致するセル一斉放送エリアの中で定期的に伝送される。ＣＢＳメッセージは、セル一斉放送センター（ＣＢＣ）７２０に接続されているＣＢＥ７１６を含む一定数のセル一斉放送エンティティ（ＣＢＥｓ）に由来し得る。特定のＣＢＥからのＣＢＳメッセージは、一斉放送局ＺＯＯＭ ＦＭと契約されたとおりに、ＣＢＣセルサービスエリア規定条件に従って伝送される。
【００６１】
ＣＢＣは適切な基地局コントローラ（ＢＳＣ）にＣＢＳメッセージを送り、ここでメッセージは記憶され、ＣＢＣ７２０からの命令に従って定期的に伝送される。ＤＴＥ５１０は、ユーザーにより手動式にこれらのＣＢＳメッセージを受信するように構成され得る。同様に、ＤＴＥ５１０は、ＰＬＭＮ７１８がＣＢＳメッセージを受信するべく無線で（ＯＴＡ）ＤＴＥ５１０を構成できるようにプログラミングされ得る。各々の無線局用のＣＢＳメッセージは、好ましくは専用チャネル上で伝送される。しかしながら、ＰＬＭＮ７１８は、共通のＣＢチャンネル上で該ドメイン用の全てのＣＢＳメッセージを送ることができる。
【００６２】
一例として、ユーザーが、エスポー市内にいる間にズーム一斉放送局７１０用のＤＴＥ５１０上のブックマーク５３４を選択すると仮定する。そのプログラミングに従って、アプリケーション５３７は、周波数１０６.２ＭＨｚに同調するようにチューナー５２８に命令する。さらに、封入されたＲＤＳメッセージ６２０の一部として更新されたウェブアドレス情報を内含するＣＢＳ メッセージ６００の受信に基づいて、ＤＴＥ５１０は、更新されたウェブアドレスで一斉放送局サーバー１８からのデジタル内容を要求する。ＲＤＳメッセージ６２０がさらに、同じＰＳ６２４がセル３用の周波数１０３.９上で同じＰＩを一斉放送していることを表わすＡＦ情報を提供すると仮定する。同様に、ＰＤＳメッセージ６２０が、ＲＤＳメッセージの「その他」の部分６２８内で地理的位置情報を内含しているということも仮定する。このため、ツルク市のエリア内にセル３７２４が入った時点で、アプリケーション５３７は自動的に、チューナー５２８を１０３.９のＡＦに同調させる。周波数の変化はユーザーにとって明白である。かくして、ＤＴＥ５１０に対する付加的なＲＤＳ機能性を提供することなく、ＤＴＥ５１０は、ＺＯＯＭ ＦＭ用のそのブックマークを更新し、必要に応じて自動的に周波数を変更することができる。
【００６３】
本発明は、例示された実施形態と関連して記述されてきたが、本発明の精神及び範囲から逸脱することなく修正を加えることも可能であるということがわかるだろう。特に、本発明は、無線一斉放送を受信するように適合されデータ接続性を有するあらゆるコンピュータデバイスに適用可能である。さらに、無線一斉放送はＦＭ無線に制限されず、アナログ又はデジタル一斉放送も含みうるものである。
【図面の簡単な説明】
【００６４】
【図１】無線一斉放送を受信するように適合され通信ネットワークと通信状態にある移動体デバイスを内含する本発明の１実施形態に従ったシステムの配置を示している。
【図２】図１のデバイスの実施例の機能的ブロック図を示している。
【図３】本発明の１実施形態に従った無線ブックマークの選択に従った図１のシステムのオペレーションについての流れ図を示している。
【図４】通信ネットワークと通信状態にある無線一斉放送を受信するべく適合された移動体デバイスを内含する本発明に従ったシステムのもう１つの実施形態の配置を示している。
【図５】図４のデバイスの実施例の機能的ブロック図を示している。
【図６】本発明の１実施形態に従った無線ブックマークの選択に従った図４のシステムのオペレーションについての流れ図を示している。
【図７】図７は、通信ネットワークと通信状態にある無線一斉放送を受信するべく適合された移動体デバイスを内含する本発明に従ったシステムのさらなる実施形態の配置を示している。
【図８】本発明の１実施形態に従った無線ブックマークの選択に従った図７のシステムのオペレーションについての流れ図を示している。
【図９】本発明のさらなる実施形態に従った移動体デバイスの機能的ブロック図を示している。
【図１０】本発明の実施形態に従った図９の移動体デバイスの位置を決定するための方法を示す。
【図１１】本発明のもう１つの実施形態に従った図９の移動体デバイスの位置を決定するための方法を示す。
【図１２】本発明のさらなる実施形態に従った図９の移動体デバイスの位置を決定するための方法を示す。
【図１３】本発明のさらにもう１つの実施形態に従った図９の移動体デバイスの位置を決定するための方法を示す。
【図１４】本発明の１実施形態に従った地理的位置のためのブックマークを見直す方法を示す。
【図１５】図１４の方法のステップに従った移動体デバイス上のさまざまなディスプレイを示す。
【図１６】本発明の１実施形態に従った移動体デバイス上の一斉放送局についてのスキャン方法を示す。
【図１７ａ】図１６の方法のステップについての移動体デバイス上のディスプレイを示す。
【図１７ｂ】図１６の方法のステップについての移動体デバイス上のディスプレイを示す。
【図１７ｃ】図１６の方法のステップについての移動体デバイス上のディスプレイを示す。
【図１７ｄ】図１６の方法のステップについての移動体デバイス上のディスプレイを示す。
【図１７ｅ】図１６の方法のステップについての移動体デバイス上のディスプレイを示す。
【図１８】本発明のさらなる実施形態に従った移動体デバイスの機能的ブロック図を示す。
【図１９】本発明の１実施形態に従った図１８の移動体デバイスと共に使用するための一斉放送システムを示す。
【図２０】本発明の１実施形態に従った図１８の移動体デバイス及び図１９の一斉放送システムと共に使用するための移動体ネットワークを示す。
【図２１】本発明の１実施形態に従った図２０の移動体ネットワーク内で一斉放送されるメッセージのためのメッセージフォーマットを示す。
【図１】
2006508619.tif 000003
【図２】
2006508619.tif 000004
【図３】
2006508619.tif 000005
【図４】
2006508619.tif 000006
【図５】
2006508619.tif 000007
【図６】
2006508619.tif 000008
【図７】
2006508619.tif 000009
【図８】
2006508619.tif 000010
【図９】
2006508619.tif 000011
【図１０】
2006508619.tif 000012
【図１１】
2006508619.tif 000013
【図１２】
2006508619.tif 000014
【図１３】
2006508619.tif 000015
【図１４】
2006508619.tif 000016
【図１５】
2006508619.tif 000017
【図１６】
2006508619.tif 000018
【図１７ａ】
2006508619.tif 000019
【図１７ｂ】
2006508619.tif 000020
2006508619.tif 000021
【図１７ｅ】
2006508619.tif 000022
【図１８】
2006508619.tif 000023
【図１９】
2006508619.tif 000024
【図２０】
2006508619.tif 000025
【図２１】
2006508619.tif 000026
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
デバイス上で、一斉放送メディア局からの一斉放送メディア及び該一斉放送メディア局に結びつけられた対応する対話型一斉放送コンテンツを受信する方法において、
該一斉放送メディア局のためのブックマーク情報を含むメッセージを受信する段階、
該デバイス上にブックマーク情報と結びつけられたブックマークをディスプレイする段階、
該ブックマークのユーザー選択を受信したことに応答して、実質的に同時に、
該一斉放送メディア局から一斉放送メディアを受信するための該ブックマークと結びつけられた周波数に該デバイス上のチューナーを同調させる段階、及び
該一斉放送メディア局と対話するため該ブックマークと結びつけられた対話型データ通信チャネルを開く段階、を実施する段階、
を含んで成る方法。
【請求項２】
該メッセージが、セル一斉放送サービス（ＣＢＳ）メッセージ内に封入されたＲＤＳメッセージを含む、請求項１に記載の方法。
【請求項３】
デバイス上で、一斉放送メディア局からの一斉放送メディア及び該一斉放送メディア局に結びつけられた対話型一斉放送コンテンツを受信する方法において、
該デバイスについての地理的位置を決定する段階、
該決定された地理的位置と整合する地理的位置パラメータを有するブックマークを該一斉放送メディア局のために見付ける段階、
該デバイス上に該ブックマークをディスプレイする段階、
該ブックマークのユーザー選択を受信したことに応答して、実質的に同時に、
該一斉放送メディア局から一斉放送メディアを受信するため該ブックマークと結びつけられた周波数に該デバイス上のチューナーを同調させる段階、及び
該一斉放送メディア局と対話するため該ブックマークと結びつけられた対話型データ通信チャネルを開く段階、を実施する段階、
を含んで成る方法。
【請求項４】
該地理的位置を決定する段階には、該デバイス上のユーザーインターフェースから地理的位置情報を受信する段階が含まれている、請求項３に記載の方法。
【請求項５】
該地理的位置を決定する段階のために、該地理的位置が、該デバイスと通信状態にあるワイヤレスセルラーネットワークから受信される、請求項３に記載の方法。
【請求項６】
該地理的位置を決定する段階のために、該地理的位置が、一斉放送メディアのＦＭ送信内で伝送されたデータから決定される、請求項３に記載の方法。
【請求項７】
該地理的位置を決定する段階のために、送信されたデータが無線データシステム（ＲＤＳ）メッセージを含んでいる、請求項６に記載の方法。
【請求項８】
該地理的位置を決定する段階のために、該地理的位置が、通信ネットワークを介して該デバイスに伝送されたメッセージから決定される、請求項３に記載の方法。
【請求項９】
該メッセージがセルラーネットワーク制御メッセージを含んで成る、請求項８に記載の方法。
【請求項１０】
該地理的位置を決定する段階のために、該地理的位置が、該デバイスにより受信されたグローバル測位システム（ＧＰＳ）信号から決定される、請求項３に記載の方法。
【請求項１１】
該ブックマークの一部分として該一斉放送メディア局と結びつけられたグラフィックをディスプレイする段階をさらに含んで成る、請求項３に記載の方法。
【請求項１２】
デバイス上で、一斉放送メディア及び一斉放送メディア局と結びつけられた対話型一斉放送コンテンツを受信する方法において、
利用可能な一斉放送メディア送信のための周波数範囲をスキャンする段階、
利用可能な一斉放送メディア送信を検出する段階、
予め定められた事象に応答して、該利用可能な一斉放送メディア送信の周波数に該デバイス上のチューナーを同調させる段階、
該チューナーが選択された該一斉放送メディア送信を受信するべく同調されつつあることを表示するグラフィックを該デバイスのディスプレイ上にディスプレイする段階、及び
該一斉放送メディア送信と結びつけられたサーバーから対話型コンテンツについてのデータを受信する段階、
を含んで成る方法。
【請求項１３】
該チューナーを同調させる段階のために、該予め定められた事象には、該利用可能な一斉放送メディア送信のユーザー選択を受信することが含まれている、請求項１２に記載の方法。
【請求項１４】
該チューナーを同調させる段階のために、該予め定められた事象には、ユーザー選択を受信するためのタイムアウト期限の満了が含まれる、請求項１２に記載の方法。
【請求項１５】
該グラフィックをディスプレイする段階のために、該グラフィックが、該利用可能な一斉放送メディア送信と結びつけられた一斉放送メディア局のためのロゴを含んで成る、請求項１２に記載の方法。
【請求項１６】
該グラフィックをディスプレイする段階には、該一斉放送メディア送信と結びつけられたサーバーから受信された対話型コンテンツをディスプレイすることが含まれている、請求項１２に記載の方法。
【請求項１７】
該デバイス上のメモリー内に該利用可能な一斉放送メディア送信のためのブックマークをセーブする段階をさらに含んで成り、該ブックマークが、該利用可能な一斉放送メディア送信のための一斉放送周波数及び連合した地理的位置を含む、請求項１２に記載の方法。
【請求項１８】
データネットワークと通信し一斉放送メディアを受信するためのデバイスにおいて、
ディスプレイ、
通信インタフェース、
チューナー、
ユーザーインターフェース、
記憶媒体、及び
一斉放送メディア局のためのブックマーク情報を含むメッセージを受信する段階、
該デバイス上に該ブックマーク情報と結びつけられたブックマークをディスプレイする段階、
該ブックマークのユーザー選択を受信したことに応答して、実質的に同時に、
該一斉放送メディア局から一斉放送メディアを受信するための該ブックマークと結びつけられた周波数に該デバイス上のチューナーを同調させる段階、及び
該一斉放送メディア局と対話するため該ブックマークと結びつけられた対話型データ通信チャネルを開く段階、を含んで成る段階、を実施する該記憶媒体に結合されたプロセッサ、
を有して成るデバイス。
【請求項１９】
該メッセージを受信する段階のために、該メッセージが、セル一斉放送サービス（ＣＢＳ）メッセージ内に封入されたＲＤＳメッセージを含んで成る、請求項１８に記載のデバイス。
【請求項２０】
データネットワークと通信し一斉放送メディアを受信するためのデバイスにおいて、
ディスプレイ、
通信インタフェース、
チューナー、
ユーザーインターフェース、
記憶媒体、及び
地理的位置を決定する段階、
該決定された地理的位置と整合する地理的位置パラメータを有するブックマークを一斉放送メディア局のために見付ける段階、
該ディスプレイ上に該ブックマークをディスプレイする段階、
該ブックマークを選択するユーザーインターフェースからの選択を受信する段階、
該一斉放送メディア局から一斉放送メディアを受信するための該ブックマークと結びつけられた周波数に該チューナーを同調させる段階、及び
該一斉放送メディア局と対話するため該ブックマークと結びつけられた対話型データ通信チャネルを開く段階、を含んで成る段階、を実施する該記憶媒体に結合されたプロセッサ、
を有して成るデバイス。
【請求項２１】
該地理的位置を決定する段階には、ユーザーインターフェースから地理的位置情報を受信する段階が含まれている、請求項２０に記載のデバイス。
【請求項２２】
該地理的位置を決定する段階のために、地理的位置情報が該デバイスと通信状態にあるワイヤレスセルラーネットワークから受信される、請求項２０に記載のデバイス。
【請求項２３】
該地理的位置を決定する段階のために、地理的位置情報が、該一斉放送メディアのＦＭ送信内で伝送されたデータから決定される、請求項２０に記載のデバイス。
【請求項２４】
該地理的位置を決定する段階のために、伝送されたデータがＲＤＳメッセージを含んでいる、請求項２３に記載のデバイス。
【請求項２５】
該地理的位置を決定する段階のために、地理的位置情報が通信ネットワークを介して該デバイスに伝送されたメッセージから決定される、請求項２３に記載のデバイス。
【請求項２６】
該メッセージがセルラーネットワーク制御メッセージを含んで成る、請求項２５に記載のデバイス。
【請求項２７】
該地理的位置を決定する段階のために、該地理的位置が該デバイスにより受信されたＧＰＳ信号から決定される、請求項２０に記載のデバイス。
【請求項２８】
該プロセッサが該ブックマークの一部分として該一斉放送メディア局と結びつけられたグラフィックをディスプレイする段階をさらに実施する、請求項２０に記載のデバイス。
【請求項２９】
データネットワークと通信し一斉放送メディアを受信するためのデバイスにおいて、
ディスプレイ、
チューナー、
ユーザーインターフェース、
記憶媒体、及び
利用可能な一斉放送メディア送信のための周波数範囲をスキャンする段階、
利用可能な一斉放送メディア送信を検出する段階、
予め定められた事象に応答して、該利用可能な一斉放送メディア送信の周波数に該チューナーを同調させる段階、
一斉放送メディア局を表すグラフィックを該ディスプレイ上にディスプレイする段階、及び
該一斉放送メディア局と結びつけられたデジタルコンテンツを受信する段階、を含んで成る段階、を実施する該記憶媒体に結合されたプロセッサ、
を有して成るデバイス。
【請求項３０】
該プロセッサが、該一斉放送メディア局のためのブックマークを該記憶媒体内にセーブするさらなる段階を実施し、該ブックマークが、選択された一斉放送メディア送信のための一斉放送周波数及び該送信を受信するための連合した地理的位置を含む、請求項２９に記載のデバイス。
【請求項３１】
該予め定められた事象には、ユーザー選択を受信するためのタイムアウト期限の満了が含まれる、請求項２９に記載のデバイス。
【請求項３２】
該予め定められた事象には、利用可能な一斉放送メディア送信のユーザー選択を受信することが含まれている、請求項２９に記載のデバイス。
【請求項３３】
移動体デバイス上で、
該デバイスについての地理的位置を決定する段階、
該決定された地理的位置と整合する地理的位置パラメータを有するブックマークを一斉放送メディア局のために見付ける段階、
該デバイス上に該ブックマークをディスプレイする段階、
該ブックマークのユーザー選択を受信したことに応答して、実質的に同時に、
該一斉放送メディア局から一斉放送メディアを受信するため該ブックマークと結びつけられた周波数に該デバイス上のチューナーを同調させる段階、及び
該一斉放送メディア局と対話するため該ブックマークと結びつけられた対話型データ通信チャネルを開く段階、を含んで成る段階、を実施するためのコンピュータ実行可能な命令を有するコンピュータ読取り可能媒体。
【請求項３４】
移動体デバイス上で、
利用可能な一斉放送メディア送信のための周波数範囲をスキャンする段階、
利用可能な一斉放送メディア送信を検出する段階、
利用可能な一斉放送メディア送信の周波数に該デバイス上のチューナーを同調させる段階、
該チューナーが選択された該一斉放送メディア送信を受信するべく同調されつつあることを表示するグラフィックを該デバイスのディスプレイ上にディスプレイする段階、及び
該一斉放送メディア送信と結びつけられたサーバーから対話型コンテンツについてのデータを受信する段階、を含んで成る段階、を実施するためのコンピュータ実行可能な命令を有するコンピュータ読取り可能媒体。
【請求項３５】
該デバイスのメモリー内に該一斉放送メディア局のためのブックマークをセーブするさらなる段階を実施するためのコンピュータ実行可能な命令を有し、該ブックマークが一斉放送周波数及び地理的位置を含んで成る、請求項３１に記載のコンピュータ読取り可能媒体。
【請求項３６】
移動体デバイス上で、
一斉放送メディア局のためのブックマーク情報を含むメッセージを受信する段階、
該デバイス上に該ブックマーク情報と結びつけられたブックマークをディスプレイする段階、
該ブックマークのユーザー選択を受信したことに応答して、実質的に同時に、
該一斉放送メディア局から一斉放送メディアを受信するための該ブックマークと結びつけられた周波数に該デバイス上のチューナーを同調させる段階、及び
該一斉放送メディア局と対話するため該ブックマークと結びつけられた対話型データ通信チャネルを開く段階、を含んで成る段階、を実施するためのコンピュータ実行可能な命令を有するコンピュータ読取り可能媒体。
【手続補正２】
【補正対象書類名】明細書
【補正対象項目名】全文
【補正方法】変更
【補正の内容】
【発明の詳細な説明】
【技術分野】
【０００１】
本発明は、一般に移動体デバイスに関する。より特定的に言うと、本発明は、一斉放送同調及びデジタル通信能力を有するデバイスに関する。
【背景技術】
【０００２】
プリセット無線ボタンは従来の無線で一般的であり、好みの無線局と結びつけられた周波数に対するプログラミング可能なショートカットとして使用するために周知のものである。ＦＭ無線送信を受信する能力をもつ移動体デバイスも又既知である。従来の無線と同じように、これらのデバイスは標準的に好みの無線局と結びつけられた周波数を記憶しこれらの周波数に迅速に同調させるためのオプションを含んでいる。しかしながら、従来の無線とは異なり、これらの移動体デバイスの多くは、データネットワークに接続されている。このため、これらの移動体デバイスは、データを送信及び受信することができ、デバイスを通したインターネットへのアクセスを提供する。
【０００３】
数多くの移動体デバイスはＦＭ無線局を受信すると同時にインターネットをブラウズすることができることから、このようなデバイス上で無線を聞いている場合には、無線局と結びつけられたウェブページのコンテンツ（内容）を調べることが往々にして望まれる。かかるウェブページのコンテンツは、無線一斉放送をさらなる詳細及びその一斉放送に関係する情報で補足するか又はローカルニュース及び気象情報といった付加的な情報を提供することができる。しかしながらこれらの移動体デバイスは、標準的に、無線局と結びつけられたＦＭ一斉放送メディア及びインターネット媒体に並行してアクセスするための手段を含んでいない。
【０００４】
このような従来の移動体デバイス上で無線局の一斉放送を聞きながら無線局についてのウェブページのコンテンツを調べるためには、ユーザーは標準的に、問題の無線局に同調し、それとは別にインターネットをナビゲートしてその無線局と結びつけられたウェブサイトを見つけ出さなくてはならない。ユーザーは、該ウェブサイトについての予め選択されたブックマークを使用することにより無線局ウェブサイトまでナビゲートでき、無線局ブックマークで無線一斉放送に同調することができる。しかしながら、それでもユーザーは、無線局の一斉放送を聞くと同時に対応するウェブサイトをブラウズするために、別々に無線を同調させ、ウェブをナビゲートする。ウェブサイトブックマークと共にプリセット無線ボタンを使用するには、ユーザーが各々のメディアソースへのアクセスを制御するために別々の段階を利用することが必要となる。このようなプロセスは、時間がかかりかつ必要以上に複雑である。さらに、このようなプロセスは、或る地理的エリア内で利用可能であり得る多数の一斉放送をスキャンする場合わずらわしいものである。このような移動体デバイス内でのこの欠点に対処するため、いくつかの解決法が提案されてきた。
【０００５】
提案された１つの解決法としては、デジタル無線サービスの使用が含まれる。デジタル無線は、アナログ送信ではなくむしろデータの無線一斉放送から成る。伝送されるデータには、オーディオ情報と合わせてさまざまなタイプの情報が含まれ得ることから、デジタル無線一斉放送を受信する移動体デバイスは、オーディオ無線一斉放送と結びつけられたコンテンツを調べることができる。従って、デジタル無線を一斉放送する無線局は、交通、気象及び広告情報といったような情報をオーディオ一斉放送と同時に伝送できる。しかしながら移動体デバイスがインターネットと通信状態にあるのでないかぎり、ユーザーは無線局との一方向通信に制限される。換言すると、ユーザーは、無線局によって送られた情報を調べることができるかもしれず又さらにはその情報を通してナビゲートできるかもしれないが、ユーザーが異なる情報を要求するとか又は２方向通信で無線局と対話することはできない。
【０００６】
もう１つの提案された解決法には、無線データシステム（ＲＤＳ）技術の使用が含まれる。ＲＤＳ技術は、ＦＭ無線送信と共に制限された量のデータの送信を含む。データは、ベースバンド送信の一部である１つ以上の副搬送波周波数で非可聴式に搬送される。伝送可能なデータの量は、比較的少なく、標準的には、プログラムサービス名（ＰＳ）、プログラムアイデンティティ（ＰＩ）、又は局一斉放送用の代替周波数といったような情報を含む。しかしながら、デジタル無線と同様、移動体デバイスがインターネットと通信状態にあるのでないかぎり、ユーザーは、無線局との一方向通信に制限される。換言すると、ユーザーは、無線局により送られた少量の情報を調べることができるかもしれないが、異なる情報を要求したり又は２方向通信で無線局と対話することはできない。さらに、ＲＤＳを使用するには、付加的なアンテナ及びチューナーが必要であり、これらは数多くのこのような移動体デバイスにおいて利用可能ではない。
【０００７】
従来の無線及び移動体デバイスの両方について、ユーザーが異なる地理的エリアに移動する場合、予備設定ボタン又は好みの無線局へのその他のプログラミング可能なショートカットは一般に、新しい地理的エリアには適用不能である。従って、ユーザーは、標準的に、所望の一斉放送を受信しかつ／又は、所望の無線局へのショートカットをリセットするために新しいエリア内で利用可能な周波数全体をスキャンする。このプロセスはユーザー特に頻繁に移動するユーザーにとっては時間のかかるイライラさせられる作業でありうる。さらにユーザーは、オーディオ情報しか伝送されていない場合、スキャンプロセス中に位置特定されるスキャンされた一斉放送局の特性を完全に評価することができない。例えば、ユーザーは、オーディオ専門局については、特にスキャン対象局がスキャンプロセス中に広告を一斉放送している場合、局のアイデンティティ及び一斉放送のジャンルを認識しないかもしれない。
【０００８】
かくして、アナログ及びデジタル通信を受信する能力をもつ移動体デバイス上での一斉放送メディアの同調を単純化するシステム及び方法に対するニーズが存在する。また、メディア一斉放送の受信のためのスキャンプロセスを単純化するシステム及び方法についてのニーズも存在する。さらに、異なる地理的エリアに移動した場合にメディア一斉放送に対する局のショートカットをリセットする必要性を無くさないまでも低減させるシステム及び方法に対するニーズも存在する。さらには、一斉放送信号の受信のためにスキャンしている間一斉放送局により提供されるグラフィックコンテンツと対話することに対するニーズも存在する。
【発明の開示】
【０００９】
上述の問題及び本明細書を読み進むうちに明らかとなるその他の問題を克服するため、本発明は、アナログ及びデジタル通信を受信する能力をもつ移動体デバイス上でのメディア一斉放送の同調を提供するためのシステム及び方法を提供している。１つの実施形態においては、メディア一斉放送及び結びつけられたウェブサイトへのショートカットを提供する組合せ型機能性ブックマークが、地理的位置に従って移動体デバイス上に提供される。本発明のもう１つの実施形態においては、一斉放送局スキャン／スクロール作業は、一斉放送局及び局の特性を識別する上でユーザーを補助するスキャン対象局一斉放送を表わすグラフィックを提供することによって、単純化されている。
【００１０】
さらにもう１つの実施形態に従うと、セル一斉放送サービスにより移動体デバイスに対し、補足的一斉放送情報が提供される。本発明の１つの態様においては、補足的一斉放送情報には、ブックマーク情報が含まれる。その他の態様においては、補足的一斉放送情報は、自動無線同調という機能を可能にする。本発明の数多くの実施形態において、開示された方法を実現するためのコンピュータ実行可能な命令がコンピュータ読取り可能媒体上に記憶されている。付加的には、実施形態にはテレビ、衛星、及びその他の一斉放送といったような異なる一斉放送の受信も内含され得る。本発明のその他の特長及び利点は、以下の詳細な記述及び図面を参照することで明白になることだろう。
【００１１】
本発明は、以下の図面を参照しながら好ましい実施形態についての以下の説明において詳細に記述されることだろう。
【発明を実施するための最良の形態】
【００１２】
さまざまな実施形態についての以下の説明においては、その一部を成し本発明を実践しうるさまざまな実施形態を例示の形で示す添付図面が参照指示されている。なお、本発明の範囲から逸脱することなく、その他の実施形態を利用し、構造的及び機能的修正を加えることができるということを理解すべきである。
【００１３】
図１及び図２に示されているように、本発明に従った１実施形態は、データ通信ネットワーク１２及び一斉放送ネットワーク１４と通信状態にある移動体データ端末デバイス（ＤＴＥ）１０を含んでいる。ＤＴＥ１０は一般に、メディア一斉放送を受信しデジタル通信ネットワークと相互作用する能力をもつあらゆる移動体デバイスを含む。一斉放送ネットワークは、送信機１６から伝送される１つの無線局（図示せず）と結びつけられた無線波を含むか又はテレビ、衛星又はその他のタイプのデジタル又はアナログ一斉放送を含むことができる。データ通信ネットワーク１２は、また無線局（図示せず）と結びつけられた一斉放送局サーバー１８と通信可能である。ＤＴＥ１０は一般にディスプレイスクリーン２０、メモリー２２、キーパッド２４、プロセッサ２６、無線チューナー２８、アンテナ３０及び通信ハードウェア３２を含む。当該技術分野において周知であるように、プロセッサ２６は、メモリー２２内に記憶された命令に従って各ステップを実施し、一般にＤＴＥ１０のその他のコンポーネントと相互作用する。ディスプレイスクリーン２０は、イメージをディスプレイし、キーパッド２４は、オペレータからの入力を受信するように適合されている。
【００１４】
アンテナ３０は、当該技術分野において既知の通り、送信機１６により送信された無線一斉放送ネットワーク１４内の無線波を受信することができる。無線チューナー２８は、アンテナ３０に接続され、送信機１６から送信されるものといったような、アンテナ３０により受信される無線波の選択された周波数を同調、復調及び増幅するように適合されている。無線チューナー２８は、数ミリセカンド以内に再同調させることのできるデジタル位相ロックループ（ＰＬＬ）シンセサイザである。通信ハードウェア３２は、当該技術分野において既知であるように、ＤＴＥ１０から送信又は受信されたマイクロ波といったような、ワイヤレス通信信号を受信及び変調又は復調するように適合されている。かくして、１実施形態に従ったデバイス１０は、データネットワークと同時に通信しながら無線局一斉放送を受信する能力をもつ移動体デバイスを含んで成る。しかしながら、本発明のデバイスは、それがデータ接続性及び一斉放送受信能力の両方を有することを条件として、デバイスのいずれか特定の実施形態に制限されるわけではない。
【００１５】
さらに、本発明のデバイスは、データ接続性又は一斉放送受信を可能にするためのいずれか特定の実施形態に制限されていない。例えば、ＤＴＥ１０は、ＴＤＭＡ（時分割多元接続）、ＣＤＭＡ（符号分割多元接続）、ＧＳＭ（グローバル移動体通信システム）又はその他のこのようなアクセスシステムを用いる第２世代のワイヤレスシステムといったような、データ接続性のための回路切換え式接続を使用することができる。その他の例においては、ＤＴＥ１０は、ＧＳＭネットワーク全体にわたるＧＰＲＳ（汎用パケット無線サービス）といったような、パケットベースのアクセスシステム、又はＷＬＡＮ（ワイヤレスローカルエリアネットワーク）又はＢＬＵＥＴＯＯＴＨといったような短範囲接続性システムを使用することができる。一斉放送同調に関しては、ＤＴＥ１０は、例えば、アナログ無線伝送、デジタル無線伝送、衛星無線伝送、アナログテレビ伝送、デジタルテレビ伝送又はその他のかかる一斉放送を受信することができる。
【００１６】
１つの実施形態に従うと、無線ブックマーク３４は、メモリー２２内に記憶され、ユーザーによりプログラミング及び選択され得る。無線ブックマーク３４は一般に、ファイル、インタネットプロトコル（ＩＰ）アドレス、ユニホームリソースロケーター（ＵＲＬ）などといったさまざまな資源をポイントするハンドル又は識別子を含む。ブックマークはまた、そのブックマークをさらに定義するパラメータを含み得る。無線ブックマーク３４は一般に、ブックマーク３４の選択の結果として、共に特定の無線局と結びつけられたネットワークアドレス及び無線周波数の両方が選択されることになる。従って、送信機１６により伝送されるものといったような、１つの無線局のための無線波の周波数に対してチューナー２８を同調させ、一斉放送局サーバー１８といったような、無線局と結びつけられたネットワークアドレスに位置特定されたサーバーとデバイス１０を実質的に同時に接続させるためには、ユーザーが単純に無線ブックマーク３４を選択する。
【００１７】
例えば、無線送信機１６が、例えばコールサインＷＺＺＺをもつ無線局といったような、或る種の無線局（図示せず）のためにＦＭ無線波を送信し、一斉放送局サーバー１８が無線局ＷＺＺＺにより操作されていると仮定する。又、無線局ＷＺＺＺが、そのＦＭ無線一斉放送に補足的なものである情報を提供する一斉放送局サーバー１８上で１つのウェブサイトを維持していると仮定する。また、該無線局がユーザーにとっての好みの無線局であり、ユーザーが該無線局一斉放送のための周波数情報及び無線サーバー１８のネットワークアドレスを内含するべくブックマーク・ワン３６をプログラミングしたと仮定する。このため、無線一斉放送を聞き、該無線局のためのウェブコンテンツ（内容）を調べるためには、ユーザーは単にブックマーク・ワン３６を選択する必要しかない。ユーザーは、グラフィック式ユーザーインターフェースについて当該技術分野において既知であるように、ディスプレイ２０上に示されたブックマーク・ワン３６の表示を選択するのにキーパッド２４を使用してブックマーク・ワン３６を選択することができる。代替的には、ユーザーは、ブックマーク・ワン３６と結びつけられたキーパッド２４上のキーを選択するか、又はブックマークを選択するべくその他のかかる方法を使用することができる。
【００１８】
ここで図３を参照すると、ユーザーがブックマーク・ワン３６を選択した場合、プロセッサはメモリー２２内に記憶された命令に従い、関連するステップを実施する。従って、プロセッサ２６は、ユーザーのブックマーク・ワン３６の選択を検出する（５０）。ブックマーク・ワン３６は、メモリー２２内に記憶された無線プレイヤーアプリケーション３８及びワイヤレスマークアップ言語（ＷＭＬ）アプリケーションといったようなブラウザアプリケーション４０の両方をポイントする。ブックマーク・ワン３６はまた、無線局ＷＺＺＺのための周波数情報及びウェブサイトアドレス情報を含むパラメータ４２をも内含している。パラメータは一般に、１つ以上のブックマークをさらに定義するか又は結びつけられたブックマークの選択に基づいてＤＴＥ１０の性能に影響を与える情報又はデータを含む。パラメータには、周波数情報及びネットワークアドレス情報ならびにその他のタイプの情報が含まれていてよく、そのいくつかの例について以下で論述されている。
【００１９】
ブックマーク・ワン３６の選択は、無線プレイヤーアプリケーション３８及びブラウザアプリケーション４０の両方を呼び出し、それぞれのアプリケーション３８、４０に対してパラメータ４２内の情報を提供する。無線プレイヤーアプリケーションに従って、プロセッサ２６は、結びつけられた無線局一斉放送を受信するべくブックマーク・ワン３６のための周波数パラメータ４２に無線チューナー２８を同調させる（５２）。ブラウザアプリケーション４０に従って、通信ハードウェアは、無線局ウェブサイトのためのデータを要求する一斉放送局サーバー１８のネットワークアドレスに対して要求を送る（５４）。要求を送るステップ５４には、すでに開いていない場合に通信チャネルを通信ハードウェア３２を用いて開くことが含まれうる。例えば、通信ネットワーク１２との通信がＧＳＭのような回路切換え式接続を介している場合には、接続はサービス時間中開放され、サービス使用が終了した時点で閉じられる。かくして、通信チャネルは、あらゆる要求の送信（５４）に先立って開放される必要があるかもしれない。これはまた、接続がまだ確立されていない場合に、ＧＰＲＳといったようなパケット切換え式接続についても適用可能であり得る。
【００２０】
要求の送信（５４）に応じて、一斉放送局サーバー１８はデータをデバイス１０に戻し、プロセッサ２６はデータを受信する（５６）。この時点で、ブラウザアプリケーション４０及びサーバー１８により管理されるセッションを、一斉放送局サーバー１８と共に確立することができる。１つの実施形態に従うと、データが受信された時点で、プロセッサは、ユーザーが選択できるリンクを含む無線局用のウェブページ（図示せず）をディスプレイする。もう１つの実施形態に従うと、ウェブページを更新するため、更新データが頻繁に受信される。このようにして、ユーザー入力の如何に関わらず、ＤＴＥ１０上にディスプレイされた情報は、プレイ中の歌の名前などといった一斉放送の現在の内容を反映するため、又は局上で一斉放送されつつあるクイズ又はコンテストなどについて入力の機会を提供するため、無線一斉放送と実質的に同期化される。ディスプレイ２０中に示されたリンクをユーザーが選択する（５８）のをプロセッサが検出した場合、プロセッサ２６は、そのリンクのための一斉放送局サーバー１８からのデータを要求する（６０）ようにデバイス１０に命令する。従って、ブックマーク・ワン３６を単に選択することによって、ユーザーは無線局の一斉放送を聞くと同時に無線局のウェブサイトをブラウズし、かくして、無線一斉放送に補足的な情報を受信する手段を有することができる。
【００２１】
本発明のもう１つの実施形態においては、一斉放送局サーバー１８との対話は、ショートメッセージサービス（ＳＭＳ）及び／又はマルチメディアメッセージサービス（ＭＭＳ）メッセージを介して行なわれ得る。従って、ブックマークの選択（５０）の時点で、ＤＴＥ１０は、ＳＭＳテキストメッセージといったようなメッセージをサーバー１８に送る。ＳＭＳメッセージ（図示せず）は、サーバー１８に、ＤＴＥ１０が無線局を聞き始めたという情報を提供し、サーバーからの結びつけられたデータを要求する（５４）。これに応答して、サーバー１８は、１つ以上のＳＭＳ又はＭＭＳメッセージを送って、内容供給を提供する。これらのメッセージの頻度は可変的である。例えば、無線局により一斉放送されている現行のプログラムをディスプレイするために、わずか１つの初期メッセージのみを提供することができる。代替的には、メッセージは５分毎といったように設定された間隔で送られてもよいし、又は例えば新しい歌がプレーされる場合といったように設定された時点で送られてもよい。さらに、ＤＴＥ１０は、それがもう１つの無線局に同調する場合、好ましくはＳＭＳメッセージをサーバー１８に送り、かくして、サーバー１８に変更の情報を与え、サーバーからのさらなるメッセージを終結させる。
【００２２】
本発明のさらなる実施形態においては、周波数及びＩＰアドレスパラメータ情報はデバイス上に記憶されずに、ネットワーク１２と通信状態にあるサーバー上といったように遠隔記憶されてもよい。このことは、ユーザーがその他のプログラミングされたパラメータに応じて異なる無線局のための無線ブックマークをプログラミングできるようにするといったような数多くの恩恵を提供する。例えば、ユーザーは、ユーザーが現在いる位置用として最も電波の強いクラシック音楽の無線局をブックマーク・ワン３６が表わすことを望むかもしれない。このことは、頻繁に移動するユーザーにとって特に有益でありうる。該ユーザーの現在位置は、無線ブックマークの使用に柔軟性を加えるのに有用でありうる付加的なパラメータの一例である。ユーザーの位置は、例えば、グローバル測位システム（ＧＰＳ）技術を用いて自動的に決定され得るが、本発明は、ＧＰＳ又はその他の何らかの測位技術に制限されるものではない。
【００２３】
もう１つの例では、パラメータは、ＤＴＥ１０と結びつけられた独自の器具ＩＤであり得、かくして特定のブックマークのための無線周波数及びＩＰアドレスが器具ＩＤと関連づけされるようになっている。パラメータのもう１つの例は、一意的ユーザーＩＤであり、ここでデバイス上の無線ブックマークはユーザー名及びパスワードといったような一意的ユーザーＩＤに従って適合されている。多数のパラメータが、さらに一層の柔軟性を加えることができる。さらなる一例においては、特定のデバイス１０上のブックマーク３４は、デバイスの異なるユーザーのための異なる無線局を表わし得る。このため、ユーザーは、一意的ユーザーＩＤを入力することが必要となる可能性があり、これは、ユーザー名及びパスワードとして手動式に入力することも、又デバイス内への識別モジュールの挿入又はその他の同様の手段を通して入力することもできる。従って、パラメータは、一意的ユーザーＩＤであり得、またブックマークは、個々のユーザーのプログラミングに従って無線局又は無線局に対する選好性を表わし得る。
【００２４】
さらなる例においては、パラメータには、ユーザーにより確立された選好性が含まれ、かくして、ブックマークは、日時、場所又はその他の要因に基づいて異なる局を表わすことになる。例えば、ユーザーは、ブックマーク・ワン３６がラッシュアワーの間の移動情報、日中のロック音楽及び夕方のクラシック音楽を意味することを好むかもしれない。もう１つの例においては、ユーザープロフィールは、ブックマークを新規作成するブックマークウェブサイトに提供されたユーザーの統計的情報に基づいて確立され得る。ブックマークウェブサイトは、ユーザーが受諾することを選択できるブックマークをＤＴＥ１０に転送し得る。異なる例においては、ブックマークは特定の局を表わすことができ、ユーザーに対する位置パラメータに基づいて、異なる一斉放送周波数がその局のために適用可能でありうる。無線局系列を伴う一例においては、ブックマークはその系列を表わすことができ、ユーザーの位置パラメータに基づいて、その系列内部の１つの局について１つの周波数が適切であり得る。
【００２５】
ブックマーク３４及びそれらのパラメータは、キーパッド２４を用いてＤＴＥ１０上に記憶されたソフトウェアに従って、又はユニバーサル・シリアル・バス（ＵＳＢ）接続又はネットワーク通信を通してといったようにもう１つのコンピュータとのインタフェースを通して、又は移動体データ端末をプログラミングするためのその他の既知の方法を通して、プログラミングすることができる。その他の例においては、ブックマーク３４及びそれらのパラメータは、遠隔プログラミングを行って無線で（ＯＴＡ）ＤＴＥ１０まで送ることができる。このような例においては、ユーザーの友人が、１つの一斉放送局を推薦するために、ユーザーにブックマークを送ることができる。これは、Ｎｏｋｉａ ＳＭＡＲＴ ＭＥＳＳＡＧＩＮＧといったようなショートメッセージサービス（ＳＭＳ）を用いて達成可能である。もう１つの例においては、ユーザーは、ＳＭＳメッセージを用いて又はウェブベースのサービスを通して、一斉放送局からブックマークを要求することができる。さらに、一斉放送局サーバーは、ユーザープロフィールに基づいてブックマークセット全体を送ることができる。さらなる例においては、ユーザーは、ＤＴＥ１０のために遠隔でそれらのブックマークを構成するべくウェブベースのサービスを用い、次にＯＴＡ通信を介してＤＴＥ１０を更新することができる。さらにもう１つの例においては、ブックマークを、セル一斉放送サービス（ＣＢＳ）を用いて伝送することができ、この場合、そのエリア内の利用可能な無線局に対応するブックマークのみがそれぞれのユーザーに伝送される。一般に、ＤＴＥ１０は、１つのブックマークとして認識されているメッセージを受信した場合、自動的に又はユーザーの検証の後に、メモリー内にブックマークを記憶することができる。
【００２６】
さらなる柔軟性を提供しブックマークを伴うパラメータの使用をさらに例示するために、図４に示されているような本発明のもう１つの実施形態には、移動体端末デバイス（ＤＴＥ）１１０、局ＩＤサーバー１１３、一斉放送局サーバー１１８及び送信機１１６が含まれている。ＤＴＥ１１０は、通信ネットワーク１１２及び一斉放送ネットワーク１１４と通信状態にあってよい。局ＩＤサーバー１１３及び一斉放送局サーバー１１８は一般に通信ネットワーク１１２と通信状態にある。送信機１１６は、一斉放送ネットワーク１１４内で無線波を一斉放送する。局ＩＤサーバー１１３は一般に、選択されたブックマーク及び局ＩＤサーバーに送られたその他のパラメータに基づいて一斉放送局を識別するサーバーを含んでいる。局ＩＤサーバー１１３は一般に、記憶媒体１１５及び記憶媒体内に収納された命令を処理するためのプロセッサ１１７を含む。例示を目的として、ユーザーが家族のメンバーとＤＴＥ１１０を共有し、従って、ユーザーとそのブックマーク選好性とを識別する一意的ユーザーＩＤを手動式で入力したと仮定する。さらに、デバイス１１０が一般に、本明細書にて論述されている差異及び態様を除いて前述の実施形態におけるＤＴＥ１０と類似している図５に示されている通りに構成されるものと仮定する。
【００２７】
従って、ＤＴＥ１１０は、メモリー１２２内に記憶されディスプレイ１２０上にグラフィックにディスプレイされているブックマーク・ワン１３６とブックマーク・ツー１３７を含む。ブックマーク１３６、１３７の各々は、無線プレイヤ／ウェブサイトビューア−アプリケーション１３９及びユーザーＩＤ１４１のパラメータをポイントしている。１つの実施形態に従ったプレイヤ／ビューア−アプリケーション１３９は、フラッシュ又はＳＭＩＬ（同期化マルチメディア統合言語）プラグインを実行するブラウザアプリケーションである。アプリケーション１３９は、端末の初期ソフトウェア一式内に含まれていてもよいし、或いはＤＴＥ１０上でダウンロードされるか又はその他の形でインストールされ得る。ブックマーク・ワン１３６が選択された場合、それは、アプリケーション１３９を呼出し、それをメモリー１２２内に記憶された一意的ユーザーＩＤ１４１にポイントする。アプリケーション１３９は、選択されたブックマーク及びユーザーＩＤ１４１に基づいて、プロセッサ１２６に対し、ＤＴＥをセットアップして一斉放送を受信し選択されたブックマーク及びユーザーＩＤパラメータのためのウェブサイトと接続するよう命令する。かくして、ブックマークを、同じデバイスの異なるユーザーのために一意的に構成することができる。
【００２８】
このような実施形態に従った本発明の使用は、一般に図６に例示されている。ユーザーは、ＤＴＥ１１０上で例えばブックマーク・ワン１３６といった無線ブックマークを選択することにより、ステップ１５０内でプロセスをスタートする。アプリケーション１３９を呼出すブックマーク・ワン１５０の選択に応えて、プロセッサ１２６は、局ＩＤサーバー１１３に対し無線局一斉放送局サーバー１１８のネットワークサービスアドレス及び無線一斉放送周波数情報に対する要求を送るステップ１７０を実施する。該要求は、ブックマーク・ワン１３６といったような特定のブックマークに関係づけされ、一意的ユーザーＩＤ１４１といったような関係づけされたパラメータに基づいている。局ＩＤサーバー１１３は、一意的ＩＤパラメータ１４１を含む要求を受信し、一意的ユーザーＩＤ１４１及びブックマーク・ワン１３６についての適切な周波数情報及びネットワークアドレス情報を決定し、通信ネットワーク１１２を介してＤＴＥ１１０に情報を戻す（１７２）。ＤＴＥ１１０はその後チューナー１２８を同調させて（１７４）、無線一斉放送を受信し、戻されたネットワークアドレスに位置する一斉放送局サーバー１１８からのデータを要求する（１７６）。サーバー１１８は好ましくは、無線局ウェブサイトと結びつけられたデータを送り、これをＤＴＥ１１０はネットワーク１１２を介して受信する（１７８）。従ってユーザーは、サーバー１１８のためのウェブサイトディスプレイを調べることができ、ウェブサイトディスプレイ上に示されたリンクを選択し得る（１８０）。かかる選択に応えて、プロセッサ１２６は、選択されたリンクと結びつけられたデータを要求する（１８２）。
【００２９】
ここで図７及び８を参照すると、ＤＴＥ２１０、局ＩＤサーバー２１３及び一斉放送局サーバー２１８の間のメッセージフローに関して以外、前述の実施形態の全ての態様及び選好性を一般に内含する、本発明のさらなる実施形態が示されている。ここで示されている同じ番号は、前述の実施形態と同じコンポーネント、ステップ及び特長を意味している。従って、ユーザーがＤＴＥ２１０上で無線ブックマークを選択する（２５０）につれて、プロセッサは該入力を受信し、ネットワーク２１２を介して局ＩＤサーバー２１３に１つの要求を送る（２７０）。該要求は同様に、選択されたブックマーク及びユーザーの一意的ユーザーＩＤのパラメータに基づく無線局のためのサーバー２１８用ネットワークアドレス及び一斉放送情報に対するものである。局ＩＤサーバー２１３は、選択されたブックマーク及び送信されたパラメータのための適切な無線局を選択し、選択された無線局のためのサーバー２１８へと、サーバー２１８のネットワークアドレスに対する要求を転送する（２９０）。一斉放送局サーバー２１８は今度は、周波数情報及びそのウェブサイトのためのネットワークアドレスをＤＴＥ２１０に送る（２９２）。
【００３０】
サーバー２１８から周波数及びネットワークアドレス情報を受信した後、ＤＴＥ２１０はチューナーを同調させて（２９４）、無線局一斉放送を受信する。好ましくは、サーバー２１８から送られた情報と共に内含されているのは、無線局のウェブサイト用のウェブサイトデータである。従って、ＤＴＥ２１０は、ウェブサイトデータを受信する（２９６）につれて、ＤＴＥディスプレイ上にウェブサイト情報をディスプレイする。ユーザーはこのときウェブサイトディスプレイから１つのリンクを選択する（２９８）と、ＤＴＥ２１０はネットワーク２１２を介して該リンクに従ってデータ要求を送信する（２９９）。該リンクと結びつけられたデータに対する要求は、ネットワーク２１２又はサーバー２１８と通信状態にある異なるサーバーに対するものでありうる。
【００３１】
図１〜４と共に、図９〜１６は、図１〜４に例示された第１の実施形態の態様及び選好性を一般に内含するその他の実施形態を示している。長距離通勤者又はセールスマンといったような頻繁に移動するユーザーは、自らの現在の地理的位置内で利用可能な局又はユーザーが要求した地理的位置のためのブックマークを調べたいと考えるかもしれない。このため、ユーザーが望む場合には、移動体デバイスがユーザーの現在位置を自動的に決定しそれに応じてブックマークをディスプレイすることが有用となるだろう。さらに、地理的位置内で利用可能な局のためのブックマークを通したスクローリングを、各々の利用可能な局についてのブックマークをその局についての地理的情報と共に表わすことによって改善することが可能である。本明細書で用いられているスクローリングというのは、一般に、移動体デバイス上で一群のブックマークを調べることを意味する。ブックマークは、数多くのやり方で調べることが可能である。例えば、異なる方向（例えば横方向、対角線方向、上向き及び下向き）にリストに沿って移動させることにより、ブックマークのリストを調べることができる。もう１つの例では、さまざまなビュー及びシーケンスでブックマークをディスプレイするユーザーインターフェースをナビゲートすることにより、一群のブックマークを調べることができる。
【００３２】
ここで図９を参照すると、１つの地理的エリアについて利用可能なブックマークを地理的に表わし、かつ結びつけられた局のデータ双方向性能力を表示するように適合されたＤＴＥ３１０が示されている。ＤＴＥ３１０は一般に、ブックマーク３３４がＤＴＥ１０の地理的位置パラメータに関係づけられ、メモリー３３２がブックマークデータベース３３５及び無線スキャン／プレイヤ／ビューア−アプリケーション３３７を内含するという点を除いて、図２のＤＴＥ１０と同じである。ブックマークデータベース３３５は、ブックマーク及び各ブックマークと結びつけられた地理的位置パラメータ（図示せず）を含み、結びつけられた局を表わす局ロゴといったようなグラフィック又は該グラフィックを収納するファイルに対するポインタを、オプショナルに内含し得る。データベース３３５はさらに、各ブックマークと関連するさらなるパラメータ又はその他の情報を内含しうる。アプリケーション３３７は、ウェブサイト双方向性を提供することと共に同調及びスキャン能力を提供するためにフラッシュ又はＳＭＩＬ（同期化マルチメディア統合言語）プラグインを実行するブラウザアプリケーションであり得る。アプリケーション３３７はまた、ＪＡＶＡ（登録商標）２ Micro Edition（Ｊ２ＭＥ）環境で実行するアプリケーションといったような専用一斉放送メディアアプリケーションでもあり得る。
【００３３】
アプリケーション３３７は、地理的位置パラメータに従ってブックマークを提供し、現在の地理的位置情報を決定するように適合されている。例えば、地理的位置情報は、セルラーネットワークとの対話に基づきＤＴＥ３１０によって、図形的測位システム（ＧＰＳ）技術を介して、又は無線データシステム（ＲＤＳ）メッセージを含む一斉放送メディア伝送を通して、決定可能である。もう１つの例では、ユーザーは単に、キーパッド３２４を介してＤＴＥ３１０内に地理的位置情報を入力するだけでよい。
【００３４】
図１０は、本発明の１実施形態に従って地理的位置情報を決定するためのユーザー入力方法３５０を例示している。図示されているように、ユーザーは、キーパッド３２４を介して位置情報を入力する（３５２）ことによって自らの位置を規定することができ、この情報は次にメモリー３３２内に記憶される（３５４）。地理的位置情報はさらに、それがＤＴＥ３１０上に記憶されたことをユーザーに示すためディスプレイ３２０上にディスプレイ（３５５）され得る。地理的位置情報は、例えば、郵便番号又は都市を含み得る。かかる方法は、例えば、ユーザーが自らの現在位置とは無関係に自宅の位置についてのブックマークを調べたい場合などに望まれる可能性がある。もう１つのケースでは、ユーザーは、自らの現在位置についてディスプレイされることのない近辺の位置のためのブックマークと結びつけられた弱い一斉放送信号に同調することを望むかもしれない。
【００３５】
図１１は、本発明のもう１つの実施形態に従って、図９に示されたＤＴＥ３１０上の地理的位置情報を決定するためのセルラーネットワーク方法３５６を例示している。図示されているように、アプリケーション３３７の実行に応答して、該アプリケーションは、図１に示された通信ネットワーク１２といったような、セルラーネットワーク１２からの地理的位置情報を要求する（３５７）。セルラーネットワーク１２は、既知の方法を用いてＤＴＥ３１０の位置を決定する（３５８）。例えば、ＤＴＥ３１０からの伝送の信号強度及び／又は隣接するセルを用いた三角測量方法（例えば到来角（ＡＯＡ）、到来時間差（ＴＤＯＡ）など）に基づいて、セルラーネットワーク１２は、ＤＴＥ３１０の位置を正確に決定することができる。ひとたび決定されたならば、ネットワーク１２はＤＴＥ３１０に対して地理的位置情報を報告する（３５９）。地理的位置情報の受信時点で、ＤＴＥ３１０はメモリー３３２内に地理的位置情報を記憶する（３６０）。オプショナルには、ＤＴＥ３１０は単純に、現在のセルについての地理的位置情報を提供するセルラーネットワーク１２用の管理チャネルを監視するだけでよい。地理的位置情報はさらに、ＤＴＥ３１０上に記憶されている現在の位置をユーザーに示すべくディスプレイ３２０上にディスプレイ（３６１）され得る。
【００３６】
地理的位置情報を決定するべくアプリケーション３３７のプログラミングに従ってセルラーネットワーク方法３５６を反復的に使用することができる。例えばユーザーが地理的位置パラメータに基づいてブックマークを調べる場合にはいつでもアプリケーション３３７はプロセッサ３２６及び通信ハードウェア３３２に対し地理的位置情報を更新するよう命令することができる。もう１つの例においては、アプリケーション３３７をセットアップして、地理的位置情報に対する要求を定期的に開始することができる。さらなる例においては、ＤＴＥ３１０はネットワーク１２を監視し、異なるセルへのハンドオーバー又は信号強度の変化などに基づいて、位置が充分に変化したことを決定した場合には新しい位置を自動的に要求し記憶する。
【００３７】
図１２は、本発明のさらなる実施形態に従った図９に示されたＤＴＥ３１０上で地理的位置情報を決定するための無線データシステム（ＲＤＳ）伝送方法３６２を例示している。ＲＤＳ技術には、ＦＭ無線伝送と共に制限された量のデータを伝送することが含まれ、往々にして地理的位置情報が含まれる。データは、非可聴式のベースバンド伝送の一部分である１つ以上の副搬送波周波数で搬送される。方法３６２用のＤＴＥ３１０は、ＲＤＳ伝送を受信するためのＲＤＳチューナー（図示せず）及び付加的なアンテナ（図示せず）を含む。アプリケーション３３７の実行に応えて、ＲＤＳ位置データを受信する（３６６）段階を含め、アプリケーションはＦＭ一斉放送３６５を受信する（３６４）。位置データ（図示せず）に基づいて、ＤＴＥ３１０は、地理的位置情報を抽出し（３６８）、メモリー３３２内にその情報を記憶する（３７０）。地理的位置情報は、ＤＴＥ３１０中に記憶された現在の位置をユーザーに示すべくさらにディスプレイされ得る（３７１）。
【００３８】
図１３は、本発明のさらなる実施形態に従った、図９に示されたＤＴＥ３１０上で地理的位置情報を決定するためのグローバル測位システム（ＧＰＳ）方法３７０を例示している。図示されているように、アプリケーション３３７の実行に応えて、ＤＴＥ３１０は当該技術分野において既知のとおりのＧＰＳ受信機（図示せず）を介してＧＰＳ信号３７３を受信する（３７２）。ＧＰＳ信号に基づいて、ＤＴＥ３１０は正確にその位置を決定する（３７４）。ひとたび決定されると、ＤＴＥ３１０はその地理的位置情報をメモリー３３２内に記憶する（３７６）。前述の実施形態の場合と同様に、地理的位置情報は、ブックマークがユーザーによってアクセスされた場合につねに、又はアプリケーション３３７のプログラミングに従ってその他の時点で、規則的間隔で決定可能である。地理的位置情報は、ＤＴＥ３１０内に記憶された現在の位置をユーザーに示すべくさらにディスプレイされ得る（３７７）。
【００３９】
ここで図１４及び１５を参照すると、特定の地理的位置についてブックマークを調べ、かつメディア局一斉放送を受信しブックマークの選択に基づいてメディア局用のウェブサイトと対話するための方法３７８が示されている。例えば方法３５０、３５６、３６２又は３７０によって決定可能である地理的位置情報に従って、ユーザーは、決定された地理的位置情報と整合する地理的位置パラメータを有するブックマークを調べるよう要求する（３８２）。該ブックマークは、アプリケーション３３７を用いてユーザーにより好みのブックマークとして予めセーブされている可能性がある。以下で論述するその他の例においては、ブックマークは、該地理的位置のための利用可能な一斉放送局を見つけるアプリケーション３３７の自動スキャン機能を介して確立され得る。ユーザーの要求に応えて、アプリケーション３３７は、現在の地理的位置情報に従ってディスプレイ３２０にブックマーク３３４を列挙させる（３８４）。ブックマークはまた、所望の音楽ジャンルといったようなそれらの位置パラメータと組合わされたその他のパラメータを用いてディスプレイされてもよい。キーパッド３２４を用いて、ユーザーは、ディスプレイされたブックマークから所望のブックマークを選択する（３８６）。所望のブックマーク３３６の選択時点で、アプリケーション３３７は、データベース３３５からブックマーク３３６のための周波数及び地理的位置パラメータをフェッチする（３９０）。
【００４０】
ブックマーク３３６用の周波数をフェッチした後、アプリケーション３３７はチューナー３２８に対しブックマーク３３６用の周波数に同調させかくしてオーディオ一斉放送を受信（３９２）するように命令する（３９１）。オーディオ一斉放送の受信と合わせてディスプレイ３２０上にグラフィック３３９を見い出し（３９３）かつディスプレイする（３９４）ようにアプリケーション３３７を構成することもできる。グラフィックは、オーディオ一斉放送がプレー中であることをユーザーに示す全ての局に共通の標準的無線インジケータであり得る。このため、ユーザーは、ブランクスクリーンを調べず、オーディオ一斉放送受信のインジケータを見ることができる。しかしながら好ましくは、グラフィック３３９は、ブックマーク３３６と結びつけられたメモリー３３２内に記憶されたロゴイメージ又はアニメーション（図示せず）を含む。さらにグラフィック３３９は、ディスプレイ３２０上にディスプレイされた結びつけられたブックマークの一部を形成することができる。
【００４１】
グラフィック３３９はさまざまな利点を提供する。例えば、それは、対話型デジタルコンテンツ（内容）が、一斉放送局のために利用可能であることを表示できる。それはさらに、ユーザーにより直ちに認識可能である一斉放送局の魅力的な表示を提供することができる。これはまた、一斉放送局についての情報を提供するか、又は製品又はサービスを広告することもできる。その他の実施形態においては、グラフィック３３９は、該一斉放送局用のウェブサイトから得ることのできる数多くのダウンロード可能なグラフィックの１つといったようなカスタマイズ化可能なものであり得る。グラフィック３３９には、アニメーション、サウンド、ビデオクリップ及びその他のコンテンツが含まれうる。
【００４２】
その他の実施形態においては、グラフィックは、当初標準的な無線インジケータであり得、デジタル接続性が確立された時点で一斉放送局サーバー１１８からひきつづき受信したロゴイメージ又はアニメーション（図示せず）でこれを置換する。グラフィックならびにウェブサイトアドレス及びその他のブックマーク情報は、図４に関連して上述した方法に従って局ＩＤサーバー１１３から得ることができる。ブックマークについてのこのような情報を受信した後、アプリケーション３３７は好ましくは、かかるブックマーク情報をデータベース３３５内に記憶する。本発明の１つの実施形態に従うと、かかるブックマーク情報は、アプリケーション３３７のプログラミングに従ってデータベース３３５内に記憶された全てのブックマークについて、局ＩＤサーバー１１３から定期的に更新可能である。
【００４３】
本発明のもう１つの実施形態においては、ユーザーは、データベース３３５内に記憶されたブックマーク用のブックマーク情報を局ＩＤサーバー１１３から更新するように手動で要求することができる。かかる更新中に各々のブックマークと結びつけられた局を正確に識別するために、周波数及び地理的位置パラメータ情報が局ＩＤサーバー１１３に伝送される。データベース３３５の中に記憶されているサーバー１１３に対して局識別情報を伝送することにより、局ＩＤサーバー１１３に対し局を正確に識別することもできる。該局識別情報は、局一斉放送と共にＲＤＳ信号から、又はその局用の一斉放送局サーバーとの通信を通してすでに受信されている可能性がある。本発明の変形実施形態においては、ＲＤＳ信号を介して一斉放送周波数に同調されている間に適切なウェブサイトアドレス及びグラフィックを受信することができる。さらにもう１つの実施形態においては、グラフィック局識別子の送達及びディスプレイは、マルチメディアメッセージサービス（ＭＭＳ）メッセージといったようなメッセージングと共に実施可能である。従って、ＤＴＥ３１０が或る無線局に同調された時点で、データベース３３５内でその無線局の対応するグラフィック表示の存在を探索することができる。発見されない場合、グラフィック及び／又は呼出し音オーディオファイルを含むＭＭＳメッセージが、ショートメッセージサービス（ＳＭＳ）メッセージを用いて該サービスから要求される。受信された時点で、ＭＭＳメッセージは、無線局のグラフィック及び／又はオーディオ表現を構築するために用いられる。
【００４４】
あらゆる場合において、グラフィック３３９は、好ましくは、所望の一斉放送メディアの受信を表示するべくディスプレイ３２０上にディスプレイされる（３９４）。その後チューナー３２８の同調と並行して、アプリケーション３３７は、サーバー用のウェブサイトアドレスを用いて、一斉放送局サーバー１１８との通信を要求する（３９５）。これに応答して、通信ハードウェア３３２は、一斉放送局サーバー１１８からデータを要求する（３９６）。従って、ＤＴＥ３１０は、通信ハードウェア３３２を介してデータを受信し（３９８）、ディスプレイ３２０上に結びつけられたコンテンツをディスプレイする（３９９）。
【００４５】
かくして、方法３７８に従うと、ユーザーは、当初自らの現在の地理的位置用の、又はオプショナルには選択された地理的位置用のブックマークの提示を受ける。ユーザーは、ひとたびブックマークを選択すると、オーディオ無線メディアといったような一斉放送メディアの受信を示すグラフィック３３９を調べることができる。一斉放送局サーバー２１３からのデータが受信されると、ＤＴＥ３１０は、一斉放送局のウェブサイトのための対話型データといったような現在のデータを示す。本発明のその他の実施形態においては、グラフィック３３９、ウェブサイトデータ及びその他のブックマーク情報をＲＤＳ信号を介して受信することが可能である。
【００４６】
往々にして、ブックマークは、好みの無線局といったような既知の一斉放送局に結びつけられている。しかしながら数多くのケースにおいて、ユーザーは、自らが知らないものの自らの地理的位置内で利用可能である一斉放送局用のブックマークを調べたいと考えるかもしれない。このため、ユーザーは、自らの地理的位置内の利用可能な局用のブックマーク全体をスクロールすることを望むかもしれない。かかるスクローリングは、結びつけられた局がデジタル双方向性を含むか否かを識別できる局についてのグラフィック情報と共に各々の利用可能な局用のブックマークを表現することによって、改善できる。従って、本発明の実施形態に従ったアプリケーション３３７は、自動スキャン機能を含んでいる。自動スキャン機能は、ユーザーが所望の一斉放送に対し同調する一方で利用可能な一斉放送についてのグラフィック情報を調べることができるようにする。自動スキャンプロセスから獲得した情報は、地理的位置用の１組のブックマークを確立するために使用することができる。
【００４７】
ここで図９と共に図１６〜１７ｄを参照すると、地理的エリア内で利用可能なメディア一斉放送についてスキャンし、スキャンされた一斉放送局を目視で調べることによって移動体デバイスを同調させ、かつオプショナルには利用可能な一斉放送局からのブックマークを新規作成するための本発明の実施形態に従った方法４００が示されている。図示されているように、該方法は、ＤＴＥ３１０のユーザーがラジオを聞くためのオプションを選択した（４０２）時点で開始する。このような選択は、アプリケーション３３７へのキーパッド３２４上のショートカットキーをユーザーが入力すること、又はその他のユーザーインターフェース方法を介して、行なわれ得る。アプリケーション３３７の実行後に、ユーザーはアプリケーション３３７の「スキャン」機能を選択する（４０４）ことができ、これによりチューナー３２８は、利用可能な局一斉放送を見つけるべく（４０６）、適切な周波数帯域幅をスキャンすることになる。１つ以上の一斉放送周波数が発見された時点で、チューナー３２８は、アプリケーション３３７に対しこのような周波数を報告する（４０８）。
【００４８】
図１７ａに示されているように、アプリケーション３３７は、ＤＴＥ３１０が自動同調中であることをディスプレイ３２０上に表示することができる。ユーザーはまた、自動同調オペレーションを制御するオプションの提示を受けることもできる。例えば、チューナー３２８により位置特定された現在の周波数４１６と共に、ディスプレイ３１０上にアップ４１０、ダウン４１２及び選択４１４オプションを示すことができる。ユーザーがアップ４１０又はダウン４１２オプションを選択した場合、アプリケーション３３７は、それぞれ現在の周波数より上又は下をスキャンするようにチューナー３２８に命令する。ユーザーがセレクト４１４オプションを選択した場合、又はオプショナルには、ＤＴＥ３１０がユーザーの入力を待つタイムアウト期間の満了に応答して、チューナー３２８はディスプレイされた現在の周波数に同調し、受信したオーディオ一斉放送を流し始める（４１０）。図１７ｂに示されているように、ディスプレイ３１０は、ユーザーに対し、ＤＴＥ３１０が同調している周波数をディスプレイする（４１２）ことができる。
【００４９】
スキャンされた周波数の選択時点で、アプリケーション３３７は、一斉放送局用のグラフィック３３９を見つけ（４１８）ようと試みる。アプリケーション３３７はまず第１に、該局のために局所的にブックマークが記憶されているか否かを見極めるためにブックマークデータベース３３５を探索する。例えば、現在の地理的位置情報及びスキャンされた周波数に基づいて、アプリケーション３３７は、スキャンされた一斉放送局のための結びつけられたブックマーク情報をもつブックマークを位置特定できるかもしれない。図１７ｃに示されているように、ブックマークが見つかり、グラフィック３３９がそのブックマーク用のデータベース３３５内に記憶された場合、記憶されたグラフィック３３９は当初ディスプレイ３２０上にディスプレイされる（４２０）。グラフィック３３９と共に、オプショナルには、一斉放送が受信中であることをユーザーに示すべく、一斉放送受信インジケータ４２２がディスプレイされる。その他の実施形態においては、グラフィック３３９ならびにウェブサイトデータ及びその他のブックマーク情報を、セル一斉放送メッセージといったようなＲＤＳ信号又はデータメッセージを介して受信することができる。さらなる実施形態においては、局ＩＤサーバー１１３といったようなサーバーから、グラフィック３３９を要求することができる。さらにもう１つの実施形態においては、グラフィック３３９及び／又はオーディオファイルを要求し受信するためにＳＭＳ及び／又はＭＭＳメッセージを使用することができる。
【００５０】
アプリケーション３３７はさらに、現在のスキャンされた一斉放送と結びつけられた局について、ウェブサイトといったようなデータサービスについて検査する。一斉放送信号がＲＤＳ信号の一部として局アイデンティティを含む場合、この局アイデンティティ情報は、データ接続性情報を要求するために使用される。そうでない場合、データ接続性情報を要求するために周波数及び地理的位置情報が用いられる。かかる情報を用いて、アプリケーション３３７は、通信ハードウェア３３２に対し、局ＩＤサーバー１１３に周波数及び地理的位置情報を送り（４２６）、図１〜８と共に論述された方法に従って一斉放送局と結びつけられたウェブサイトからのデータの受信を要求するように命令する（４２４）。図１７ｄに示されているように、データサービスを探索する間に、ディスプレイ３２０はオプショナルにはデータサーチインジケータ４２８をディスプレイしてＤＴＥ３１０がデータサービスを探索していることを示す。
【００５１】
現在のスキャン対象局についてのデータサービスを通信ハードウェア３３２が受信した（４３０）場合、情報は処理され（４３２）、デジタルコンテンツはディスプレイ３２０上にディスプレイ（４３４）される。図１７ｄは、スキャン対象の一斉放送局のためのデータサービスの受信時点で示される増強されたディスプレイを例示している。ここに示されているように、更新されたグラフィック３３９も、一斉放送局サーバー１１８用のウェブサイトといったデータ接続性情報に加えて受信可能である。この情報は好ましくはデータベース３３５内に自動的に記憶され、その局についてブックマークが存在しない場合、１つが新規作成される。ブックマークは好ましくは、ジャンル、グラフィック３３９、ウェブサイト情報、地理的位置、周波数などといったような利用可能なかぎり多くの情報を含む。ユーザーには又、好みのブックマークとして該一斉放送局をセーブするオプションが提供される可能性もある。さらに、オプショナルには、地理的位置用のブックマークとして自動スキャンプロセスから位置特定された全ての局をセーブするようにアプリケーション３３７をセットアップすることができる。
【００５２】
前述の方法を示す１例として、ユーザーが自ら一年前に訪れた異なる位置まで移動すると仮定する。このユーザーが、利用可能な一斉放送局をスキャンすることを望んでいると仮定する。図１７ａに示されているように、プログラミングされた選好性として、アプリケーション３３７が周波数範囲の上端部で開始し、下へと作業を進めるものと仮定する。利用可能な一斉放送として、ＤＴＥ３１０は周波数１０４.６を位置特定するものと仮定する。１０４.６を短時間聞いた時点で、又ユーザーがもう１つの局を試す決定を下したとも仮定する。このため、ユーザーは、ディスプレイ３１０上にディスプレイされたダウンオプションを選択することができる。ユーザーがそれを行ない、チューナー３２８がその後充分に強い信号を有する実行できる一斉放送として周波数１０２.３を位置設定すると仮定する。ユーザーが何も行なわない場合、ＤＴＥ３１０はタイムアウトし、一斉放送１０２.３に同調し始める。さらに、アプリケーション３３７は、方法３５０、３５６、３６２及び３７０のうちの１つにより決定されるように、当該地理的位置における現在の周波数のための古いブックマークをデータベース３３５内に見つける。図１７ｄに例示されているように、この古いブックマークについてのデータに基づいて、ＤＴＥ３１０は、記憶されたグラフィック３３９をディスプレイし、データベース３３５内に記憶されたウェブサイトアドレスに接続しようと試みる。局ウェブサイトからのデータをうまく受信した時点で、新しいグラフィック３３９と共に、図１７ｄに示されているように、関係するコンテンツがディスプレイ３１０内でディスプレイされる。さらに、古いブックマークはユーザーが将来参照するために更新される。
【００５３】
一変形実施形態（図示せず）においては、ＤＴＥ３１０は、局ＩＤサーバーといったようなサーバーからの現在の地理的エリア内で利用可能な全ての一斉放送についての情報を要求することができる。かかる情報の受信時点で、ＤＴＥ３１０は、好ましくはグラフィック３３９を含む全ての利用可能な一斉放送に対するブックマークを確立する。このため、ユーザーは、地理的エリアにおける入手可能な一斉放送についてグラフィックブックマーク全体を容易にスクロールすることができる。
【００５４】
上述の実施形態のうちの多くのものにおいて、情報及び移動体デバイスブックマークに対し特定の局一斉放送を補足するその他の情報を提供するために、ＲＤＳ伝送を使用することができる。当該技術分野において既知の通り、ＲＤＳ伝送は往々にして、特定のプログラム又は局一斉放送が伝送されている代替周波数（ＡＦ）を内含する。さらに、ＲＤＳ伝送は往々にして、伝送を介して一斉放送されつつある現在のプログラムを識別するプログラムアイデンティティ（ＰＩ）情報（例えばトークショーの名前）及び、一斉放送局を識別するプログラム局（ＰＳ）情報（例えばズームＦＭ）を内含する。地理的位置情報といったようなその他の情報もＲＤＳを介して伝送され得る。伝送されたＲＤＳ情報に基づいて、無線受信機は、ユーザーにとって非常に使いやすいものとなるようにプログラミングされ得る。例えば、無線受信機は、信号が弱くなりより強い信号が利用可能になるにつれて、受信中のＰＩのためのＡＦに迅速に同調できる。しかしながらこのような無線受信機は、ＲＤＳ復調器／復号器およびマイクロプロセッサ（図示せず）をこのような伝送を受信するために必要とし、デジタル通信を受信することのできる数多くの移動体デバイス上では利用できない可能性がある。
【００５５】
ＲＤＳ能力のない移動体デバイス上のＲＤＳ伝送の利点は、セル一斉放送サービス（ＣＢＳ）伝送を通してといったように、そうでなければＲＤＳ伝送内に提供される情報を提供するデジタル通信の使用を通して実現可能であるという点である。ここで図１８〜２１を参照すると、本発明の実施形態に従ってデジタル通信ネットワーク全体にわたり補足的一斉放送情報を提供するためのシステム及び方法が示されている。図１８は、例えばＧＳＭアンテナ５３１を介してグローバル移動体通信システム（ＧＳＭ）ネットワークといったようなデータ通信ネットワークからのデジタル通信及びＶＨＦ／ＦＭアンテナ５３０を介してのアナログ一斉放送伝送を受信するように適合されているＤＴＥ５１０を示している。本発明は、ＧＳＭアンテナ５３１を介してＧＳＭデータを受信することに制限されず、その他のタイプのアンテナ配置もまた可能であるということに留意すべきである。ＣＢＳ伝送に関係する態様を除いて、ＤＴＥ５１０のための態様及び選好性は、一般にＤＴＥ３１０と同じである。
【００５６】
１つの実施形態に従うと、ＣＢＳ伝送内で受信されるＲＤＳ情報に従って、ＶＨＦ／ＦＭ受信機５３０を同調させ及び／又は再同調させるためにソフトウェアを使用することができる。このため、ＪＡＶＡ（登録商標）２  Micro  Edition（Ｊ２ＭＥ）環境内で実行するアプリケーションとして実施されうるＶＨＦ／ＦＭ無線アプリケーションプログラミングインターフェース（ＡＰＩ）５３９、ワイヤレスメッセージＡＰＩ（ＷＭＡ）５３３及び無線プレイヤーアプリケーション５３７が、ＤＴＥ５１０のメモリー５２２内に記憶される。オペレーション中、ＧＳＭアンテナ５３１が、ＲＤＳ情報を送達しているＣＢＳ伝送を受信するように同調されている場合、受信されたＣＢＳメッセージ６００（図２１に示されているもの）はＷＭＡ５３３を介して無線プレイヤーアプリケーション５３７に提出される。無線プレイヤーアプリケーション５３７は、ＲＤＳ情報を復調させることができ、その情報に基づいて、適切な周波数を選択することができる。ＶＨＦ／ＦＭ無線ＡＰＩ５３９を用いて、無線プレイヤーアプリケーション５３７は、所望の一斉放送送信を受信するべく、好ましくはデジタル位相ロックループ（ＰＬＬ）シンセサイザであるチューナー５２８を同調させる。かくしてＲＤＳ情報ならびにユーザー指令といったようなその他の入力に基づいて、アプリケーション５３７は、一斉放送メディア及びコンテンツのプレー及びディスプレイに関してＤＴＥ５１０を制御するためにプロセッサ５２６に対して命令を提供する。
【００５７】
図２１は、標準的には８８オクテットから成る、標準的な単一ページのＣＢＳメッセージ６００を示している。各々のＣＢＳメッセージは、１〜１５ページから成り得る。ＣＢＳメッセージ６００は、受信機により肯定応答されていない特定の地理的エリア内の全ての受信機に送られる一斉放送メッセージの１つのタイプである。各々のＣＢＳメッセージページは、シリアル番号６０２、メッセージ識別子６０４、ページ番号６０６、データ符号化スキーム６０８、及びメッセージ内容（コンテンツ）６１０を含む。メッセージ識別子６０４は、メッセージのソースを表わし、シリアル番号６０２は、特定のメッセージのための一意的識別子である。ページパラメータ６０６は、ＣＢＳメッセージ６００内の合計ページ数（メッセージ）及びメッセージシーケンス内の現在の番号を表わす。データ符号化スキーム６０８は、言語又はフォーマットといったようなメッセージコンテンツについての符号化情報を提供する。
【００５８】
本発明の１実施形態に従ったＲＤＳメッセージは各々、ＣＢＳメッセージのコンテンツ６１０の中で搬送される。例えば図２１に示されているＲＤＳメッセージ６２０は、ＣＢＳメッセージ６００内で搬送される。ＲＤＳメッセージ６２０は、ＰＩ６２２、ＰＳ６２４、ＡＦ６２６及びＲＤＳ／ＣＢＳメッセージを送る一斉放送セルについての位置情報又はブックマークグラフィックについてのデータといったようなその他の情報６２８を含む。ＣＢＳメッセージ内でＲＤＳメッセージを搬送することにより、移動体デバイスがＲＤＳ技術の恩恵を獲得することができ、移動体デバイスは、通信ネットワーク上でＣＢＳメッセージを受信し、一斉放送メディアを受信することができる。
【００５９】
図１９を参照すると、一斉放送伝送を補足する上でのＣＢＳメッセージの利点を例示するべく、一斉放送ネットワーク７００の一例が示されている。一斉放送局７１０が「ＺＯＯＭ  ＦＭ」という局名でＦＭ無線を一斉放送すると仮定する。局７１０からの一斉放送信号は、電線を介してか又は代替的にはワイヤレスラジオリンクを用いてワイヤレスで、フィンランドのエスポーに位置する第１の送信機７１２及びフィンランドのツルクに位置する第２の送信機７１４に送られる。第１の送信機７１２は、エスポーの町の周辺の地理的エリアに対し１０６.２ＭＨｚの周波数で一斉放送局ＺＯＯＭ ＦＭを送信し、第２の送信機７１４は、ツルクの周辺の地理的エリアに対し１０３.９ＭＨｚの周波数で同じ一斉放送局を送信する。ＡＦ、ＰＩ及びＰＳデータを含むＲＤＳ情報が、一斉放送と共に送信機７１２、７１４によって送信される。一斉放送局７１０は、エスポー、ツルク及びその間の領域という地理的位置にサービスを提供するセル一斉放送エンティティ（ＣＢＥ）７１６に同じＲＤＳ情報を送る。
【００６０】
ここで図１９と合わせて図２０を参照すると、無線局ＺＯＯＭ ＦＭのドメインをカバーする公衆陸上移動体ネットワーク（ＰＬＭＮ）７１８が示されている。ＰＬＭＮ７１８は、無線局ＺＯＯＭ ＦＭの一斉放送ドメイン内で、セル１ ７２０、セル２ ７２２、およびセル３ ７２４を含む、そのドメイン内部の移動体デバイスに対するＧＳＭ移動体通信を提供する。図示されているように、セル１ ７２０及びセル２ ７２２は、無線一斉放送送信機７１２により伝送されるＺＯＯＭ ＦＭのためのＦＭ無線一斉放送を受信し、セル３は、送信機７１４からのＺＯＯＭ ＦＭ一斉放送を受信する。一斉放送局７１０とＰＬＭＮ７１８の間の契約に基づき、ＲＤＳ情報は、ＣＢＳメッセージを通して一斉放送送信エリアと一致するセル一斉放送エリアの中で定期的に伝送される。ＣＢＳメッセージは、セル一斉放送センター（ＣＢＣ）７２０に接続されているＣＢＥ７１６を含む多数のセル一斉放送エンティティ（ＣＢＥｓ）に由来し得る。特定のＣＢＥからのＣＢＳメッセージは、一斉放送局ＺＯＯＭ ＦＭと契約されたとおりに、ＣＢＣセルカバレージ規定条件に従って伝送される。
【００６１】
ＣＢＣは適切な基地局コントローラ（ＢＳＣ）にＣＢＳメッセージを送り、ここでメッセージは記憶され、ＣＢＣ７２０からの命令に従って定期的に伝送される。ＤＴＥ５１０は、ユーザーにより手動式にこれらのＣＢＳメッセージを受信するように構成され得る。また、ＤＴＥ５１０は、ＰＬＭＮ７１８がＣＢＳメッセージを受信するべく無線で（ＯＴＡ）ＤＴＥ５１０を構成できるようにプログラミングされ得る。各々の無線局用のＣＢＳメッセージは、好ましくは専用チャネル上で伝送される。しかしながら、ＰＬＭＮ７１８は、共通のＣＢチャネル上で該ドメイン用の全てのＣＢＳメッセージを送ることができる。
【００６２】
一例として、ユーザーが、エスポー市内にいる間にズーム一斉放送局７１０用のＤＴＥ５１０上のブックマーク５３４を選択すると仮定する。そのプログラミングに従って、アプリケーション５３７は、周波数１０６.２ＭＨｚに同調するようにチューナー５２８に命令する。さらに、封入されたＲＤＳメッセージ６２０の一部として更新されたウェブアドレス情報を含むＣＢＳ メッセージ６００の受信に基づいて、ＤＴＥ５１０は、更新されたウェブアドレスで一斉放送局サーバー１８からのデジタルコンテンツを要求する。ＲＤＳメッセージ６２０がさらに、同じＰＳ６２４がセル３用の周波数１０３.９上で同じＰＩを一斉放送していることを表わすＡＦ情報を提供すると仮定する。また、ＲＤＳメッセージ６２０が、ＲＤＳメッセージの「その他」の部分６２８内で地理的位置情報を含んでいるということも仮定する。このため、ツルク市のエリア内にセル３ ７２４が入った時点で、アプリケーション５３７は自動的に、チューナー５２８を１０３.９のＡＦに同調させる。周波数の変化はユーザーにとって明白である。かくして、ＤＴＥ５１０に対する付加的なＲＤＳ機能性を提供することなく、ＤＴＥ５１０は、ＺＯＯＭ ＦＭ用のそのブックマークを更新し、必要に応じて自動的に周波数を変更することができる。
【００６３】
本発明は、例示された実施形態と関連して記述されてきたが、本発明の精神及び範囲から逸脱することなく修正を加えることも可能であるということがわかるだろう。特に、本発明は、無線一斉放送を受信するように適合されデータ接続性を有するあらゆるコンピュータデバイスに適用可能である。さらに、無線一斉放送はＦＭ無線に制限されず、アナログ又はデジタル一斉放送も含みうるものである。
【図面の簡単な説明】
【００６４】
【図１】無線一斉放送を受信するように適合され通信ネットワークと通信状態にある移動体デバイスを含む本発明の１実施形態に従ったシステムの配置を示している。
【図２】図１のデバイスの実施例の機能的ブロック図を示している。
【図３】本発明の１実施形態に従った無線ブックマークの選択に従った図１のシステムのオペレーションについての流れ図を示している。
【図４】通信ネットワークと通信状態にある無線一斉放送を受信するべく適合された移動体デバイスを含む本発明に従ったシステムのもう１つの実施形態の配置を示している。
【図５】図４のデバイスの実施例の機能的ブロック図を示している。
【図６】本発明の１実施形態に従った無線ブックマークの選択に従った図４のシステムのオペレーションについての流れ図を示している。
【図７】通信ネットワークと通信状態にある無線一斉放送を受信するべく適合された移動体デバイスを含む本発明に従ったシステムのさらなる実施形態の配置を示している。
【図８】本発明の１実施形態に従った無線ブックマークの選択に従った図７のシステムのオペレーションについての流れ図を示している。
【図９】本発明のさらなる実施形態に従った移動体デバイスの機能的ブロック図を示している。
【図１０】本発明の実施形態に従った図９の移動体デバイスの位置を決定するための方法を示す。
【図１１】本発明のもう１つの実施形態に従った図９の移動体デバイスの位置を決定するための方法を示す。
【図１２】本発明のさらなる実施形態に従った図９の移動体デバイスの位置を決定するための方法を示す。
【図１３】本発明のさらにもう１つの実施形態に従った図９の移動体デバイスの位置を決定するための方法を示す。
【図１４】本発明の１実施形態に従った地理的位置のためのブックマークを調べる方法を示す。
【図１５】図１４の方法のステップに従った移動体デバイス上のさまざまなディスプレイを示す。
【図１６】本発明の１実施形態に従った移動体デバイス上の一斉放送局についてのスキャン方法を示す。
【図１７ａ】図１６の方法のステップについての移動体デバイス上のさまざまなディスプレイを示す。
【図１７ｂ】図１６の方法のステップについての移動体デバイス上のさまざまなディスプレイを示す。
【図１７ｃ】図１６の方法のステップについての移動体デバイス上のさまざまなディスプレイを示す。
【図１７ｄ】図１６の方法のステップについての移動体デバイス上のさまざまなディスプレイを示す。
【図１７ｅ】図１６の方法のステップについての移動体デバイス上のさまざまなディスプレイを示す。
【図１８】本発明のさらなる実施形態に従った移動体デバイスの機能的ブロック図を示す。
【図１９】本発明の１実施形態に従った図１８の移動体デバイスと共に使用するための一斉放送システムを示す。
【図２０】本発明の１実施形態に従った図１８の移動体デバイス及び図１９の一斉放送システムと共に使用するための移動体ネットワークを示す。
【図２１】本発明の１実施形態に従った図２０の移動体ネットワーク内で一斉放送されるメッセージのためのメッセージフォーマットを示す。
【国際調査報告】
2006508619.tif 000027
2006508619.tif 000028